(57)【要約】【課題】住宅の壁に鞘管を無理に曲げることなく貫通させて壁に沿わせて配設できると共に、この鞘管内に通される配管も無理に曲げることなく配設できる壁貫通配管の壁通し具を提供する。【解決手段】壁通し具５１は、筒状の鞘管ガイド５４と、壁押さえ５５と、締め付けナット（固定手段）５６とを具備する。鞘管ガイド５４は、住宅の外装パネル(外壁)５２を斜めに貫通する設置穴５３に挿通され、外壁５２の一面に引掛るフランジ部６１を有する。このガイド５４には外壁５２を途切れることなく貫通する鞘管５が通される。壁押さえ５５は、外壁５２の他面から斜めに突出した鞘管ガイド５４の部分の外周に摺動可能に嵌合して設けられて、外壁５２をフランジ部６１との間に挟む。ナット５６は鞘管ガイド５４の前記突出部分に螺合して、その締め付けにより壁押さえ５５を外壁５２に押付けた状態に保持する。【選択図】    図１１
2006038232.tif 000002
【特許請求の範囲】
【請求項１】
住宅の壁を斜めに貫通する設置穴に挿通されるとともに、前記壁の一面に引掛るフランジ部を有し、かつ、前記壁を途切れることなく貫通する鞘管が通される筒状の鞘管ガイドと、
前記壁の他面から斜めに突出した前記鞘管ガイドの部分の外周に摺動可能に嵌合して設けられ前記フランジ部との間に前記壁を挟む壁押さえと、
この壁押さえと前記鞘管ガイドとにわたって設けられ前記壁押さえを前記壁に押付けた状態に保持する固定手段と、
を具備した壁貫通配管の壁通し具。
【請求項２】
住宅の壁を斜めに貫通する設置穴に挿通されるとともに、前記壁の一面に固定されるフランジ部を有し、かつ、前記壁を途切れることなく貫通する鞘管が通される筒状の鞘管ガイドと、
前記壁の他面から斜めに突出した前記鞘管ガイドの部分の外周に摺動可能に嵌合して設けられるとともに、前記壁の他面に固定されて前記壁を前記フランジ部との間に挟む壁押さえと、
を具備した壁貫通配管の壁通し具。
【請求項３】
住宅の壁を斜めに貫通する設置穴に挿入されるとともに、前記壁の一面に引掛るフランジ部を有し、かつ、前記壁を途切れることなく貫通する鞘管が通される筒状の第１鞘管ガイドと、
前記壁の他面に引掛るフランジ部を有して前記設置穴に挿入されるとともに、前記第１鞘管ガイドに軸方向に沿って移動可能に嵌合され、かつ、前記鞘管が通される筒状の第２鞘管ガイドと、
を具備した壁貫通配管の壁通し具。
【請求項４】
住宅の壁を斜めに貫通する設置穴に挿入されるとともに、前記壁を途切れることなく貫通する鞘管が通される筒状の鞘管ガイドと、このガイドの一端部外周から一体に張り出して設けられ前記壁の一面に固定されるフランジ部と、
を有した壁貫通配管の壁通し具。
【請求項５】
請求項１から４の内のいずれか一項に記載の壁通し具を使用し、その鞘管ガイドを住宅の壁に対して斜めとなる姿勢にして、この鞘管ガイドの少なくとも一部を、前記壁を斜めに貫通する設置穴に配置し、斜めの前記鞘管ガイドにその傾き方向に鞘管を通してこの鞘管を前記壁に対して途切れることなく斜めに貫通させるとともに、この斜めの鞘管内に前記壁を貫通する配管を通して案内し、この配管を曲げることなく配設したことを特徴とする壁貫通配管の壁貫通構造。
【請求項６】
斜めの前記設置穴を、屋外と屋内とを仕切る前記壁の屋外側に向けて下がるように傾斜して設けたことを特徴とする請求項５に記載の壁貫通配管の壁貫通構造。
【発明の詳細な説明】
【技術分野】
【０００１】
本発明は、例えば一戸建住宅等の屋外に設置される給湯器等の屋外機器から延びる送液用の配管等を、屋外と屋内とを仕切る外壁等を貫通して配設するための壁貫通配管の壁貫通構造及び壁貫通配管の壁通し具に関する。
【背景技術】
【０００２】
従来、住宅の屋外に設置される給湯器に接続される配管を屋内へ引き込む技術が知られている（例えば特許文献１参照。）。
【０００３】
この従来技術は、壁に通孔（設置穴）を設け、この通孔に屋外側から固定具を取付け、鞘管と、この鞘管の中に通される配管とからなる給湯管の一端を室内側の分配器（ヘッダー）に取付け、配管のみを固定具に通して屋外側の給湯器に取付けるものである。
【０００４】
この際、壁に固定具を取付け、分配器（ヘッダー）から固定具までは配管と鞘管とからなる給湯管を配設し、固定具の位置で鞘管を切断し、この切断された端部を固定具に当接させ、固定具の屋外側に斜め上向きに突出する止水部材に配管を通すことによって、この配管のみを壁に貫通させ、この配管の中間部を固定具に固定しており、屋外側に引き出された配管は給湯器に取付けられている。
【特許文献１】特開平９−１０５４８２号公報（図３）
【発明の開示】
【発明が解決しようとする課題】
【０００５】
前記従来技術は壁に対して配管を斜めに貫通させるので、この配管を壁の内外面に沿わす場合に配管への負荷が少なく、且つ、屋外側から配管を挿脱して更新できる点で優れている。
【０００６】
しかし、壁に対して屋外側に突出する斜状の止水部材とこれとは別の鞘管とは結合されていないので、これら止水部材と鞘管とに配管を通すときに鞘管又は止水部材の端部に配管の先端が当たって通しづらいと共に、屋外側から配管を通すときに鞘管が配管によって押し動かされ易いので、配管を通す作業性がよくないという問題がある。
【０００７】
又、前記従来技術において配管を屋外側に引き出す際に、その引き出し力が屋外側の固定具に作用するから、この力が壁への固定具の固定箇所に集中して、固定具が外れたり、あるいは固定具と壁との間の防水性が損なわれるおそれがある。
【０００８】
さらに、前記従来技術では配管のみを貫通させる止水部材が斜め上向きとなっているので、配管を屋外側から斜め下向きに挿入するには適しているが、斜め上向きに挿入するには適当ではないと共に、配管を屋外側に引き出す際に、配管を引っ張り上げることが必要であるので作業性がよくないという問題がある。しかも、鞘管が固定具の位置において途切れているので、水漏れを起こすおそれがある。
【０００９】
前記従来技術では、例えば屋外の給湯器などが上方に位置して、屋外から屋内に向うにしたがって前記給湯器などから供給される湯などを上方から下方に向って導くこととなる。このため、前記配管を屋外から屋内に向うにしたがって上方から下方に向かって傾けて配置することとなる。
【００１０】
前記配管が、屋外から屋内に向うにしたがって上方から下方に向かって傾けて配置されると、雨水などが前記配管の外表面などを伝わって屋内に侵入する恐れがあった。
【００１１】
本発明が解決しようとする第１の課題は、住宅の壁に鞘管を無理に曲げることなく貫通させて壁に沿わせて配設できると共に、この鞘管内に通される配管も無理に曲げることなく配設できる壁貫通配管の壁貫通構造及び壁貫通配管の壁通し具を得ることにある。
【００１２】
又、本発明が解決しようとする第２の課題は、前記第１の課題を解決するにあたって、雨水などの浸入を防止できる壁貫通配管の壁通し構造を得ることにある。
【００１３】
又、本発明が解決しようとする第３の課題は、前記第１の課題を解決するにあたって、水漏れなどを起こした際にも屋内への浸水を防止できる壁貫通配管の壁通し構造を得ることにある。
【課題を解決するための手段】
【００１４】
請求項１の発明に係る壁貫通配管の壁通し具は、住宅の壁を斜めに貫通する設置穴に挿通されるとともに、前記壁の一面に引掛るフランジ部を有し、かつ、前記壁を途切れることなく貫通する鞘管が通される筒状の鞘管ガイドと、前記壁の他面から斜めに突出した前記鞘管ガイドの部分の外周に摺動可能に嵌合して設けられ前記フランジ部との間に前記壁を挟む壁押さえと、この壁押さえと前記鞘管ガイドとにわたって設けられ前記壁押さえを前記壁に押付けた状態に保持する固定手段と、を具備したものである。
【００１５】
この請求項１の発明に係る壁貫通配管の壁通し具を壁に設置するには、まず、壁を斜めに貫通した設置穴に対して壁の一面側又は他面側から、壁押さえが嵌合される側の端部を先頭にして鞘管ガイドをそのフランジ部が壁に当接するまで挿通することにより、このガイドを壁に対して斜めに貫通させる。次に、壁より斜めに突出した鞘管ガイドの前記端部の外周に壁押さえを嵌合させる。最後に、鞘管ガイドと壁押さえとにわたって設けられる固定手段を操作して、壁押さえを鞘管ガイドの軸方向に沿って壁側に移動させて壁に押付けた状態に保持する。それにより、フランジ部と壁押さえとの間に壁を挟んだ状態で壁通し具を壁に対して斜めに設置できる。
【００１６】
したがって、この後には、壁を斜めに貫通した鞘管ガイドに対して前記一面側又は他面側から鞘管を通して、この鞘管を壁に対して斜めに貫通させた後、この鞘管内に配管を挿入することにより、鞘管内を通して所定の場所に配管を導いて配設できる。このように請求項１の発明に係る壁貫通配管の壁通し具においては、壁に設けた斜めの設置穴を貫通する筒状の鞘管ガイドを備えているから、このガイドに鞘管を通すことにより、鞘管を、無理に曲げることなく壁に斜めに貫通させて壁に沿って配設できる。したがって、例えば、外壁裏の狭い壁裏空間の内部にも無理なく鞘管を配設できると共に、この鞘管の内部に通して案内させる配管も無理に曲げることなく屋内等へと配設できる。
【００１７】
請求項２の発明に係る壁貫通配管の壁通し具は、住宅の壁を斜めに貫通する設置穴に挿通されるとともに、前記壁の一面に固定されるフランジ部を有し、かつ、前記壁を途切れることなく貫通する鞘管が通される筒状の鞘管ガイドと、前記壁の他面から斜めに突出した前記鞘管ガイドの部分の外周に摺動可能に嵌合して設けられるとともに、前記壁の他面に固定されて前記壁を前記フランジ部との間に挟む壁押さえと、を具備したものである。
【００１８】
この請求項２の発明に係る壁貫通配管の壁通し具を壁に設置するには、まず、壁を斜めに貫通した設置穴に対して壁の一面側又は他面側から、壁押さえが嵌合される側の端部を先頭にして鞘管ガイドをそのフランジ部が壁に当接するまで挿通することにより、このガイドを壁に対して斜めに貫通させて、前記フランジ部を壁にねじ止め等により固定する。次に、壁より斜めに突出した鞘管ガイドの前記端部の外周に壁押さえを嵌合させる。最後に、壁押さえを壁にねじ止め等により固定して、この壁押さえとフランジ部との間に壁を挟んだ状態で壁通し具を壁に対して斜めに設置する。
【００１９】
したがって、この後には、壁を斜めに貫通した鞘管ガイドに対して前記一面側又は他面側から鞘管を通して、この鞘管を壁に対して斜めに貫通させた後、この鞘管内に配管を挿入することにより、鞘管内を通して所定の場所に配管を導いて配設できる。このように請求項２の発明に係る壁貫通配管の壁通し具においては、壁に設けた斜めの設置穴を貫通する筒状の鞘管ガイドを備えているから、このガイドに鞘管を通すことにより、鞘管を、無理に曲げることなく壁に斜めに貫通させて壁に沿って配設できる。したがって、例えば、外壁裏の狭い壁裏空間の内部にも無理なく鞘管を配設できると共に、この鞘管の内部に通して案内させる配管も無理に曲げることなく屋内等へと配設できる。
【００２０】
請求項３の発明に係る壁貫通配管の壁通し具は、住宅の壁を斜めに貫通する設置穴に挿入されるとともに、前記壁の一面に引掛るフランジ部を有し、かつ、前記壁を途切れることなく貫通する鞘管が通される筒状の第１鞘管ガイドと、前記壁の他面に引掛るフランジ部を有して前記設置穴に挿入されるとともに、前記第１鞘管ガイドに軸方向に沿って移動可能に嵌合され、かつ、前記鞘管が通される筒状の第２鞘管ガイドと、を具備したものである。
【００２１】
この請求項３の発明に係る壁貫通配管の壁通し具を壁に設置するには、まず、壁を斜めに貫通した設置穴に対して壁の一面側から第１鞘管ガイドを、そのフランジ部が壁の一面に当接するまで挿通することにより、このガイドを壁に対して斜めに挿入させて、前記フランジ部を壁の一面側において設置穴の一端の穴縁に引掛ける。次に、壁の他面側から第２鞘管ガイドをそのフランジ部が壁の他面に当接するまで挿通して、第２鞘管ガイドを壁に対して斜めに挿入するとともに、その挿入先端部側を前記第１鞘管ガイドの挿入先端部に嵌合させる。この嵌合により軸方向に連続された両鞘管ガイドは、必要に応じて一方の鞘管ガイドの第１引掛り部と他方の鞘管ガイドに設けられた第２引掛り部との引掛かりにより連結することもできる。最後に、前記のように両鞘管ガイドが嵌合された状態で、前記他方の鞘管ガイドのフランジ部を壁の他面側に置いて設置穴の他端に引掛けて、前記両フランジ部で壁を挟んだ姿勢で壁通し具を壁に対して斜めに設置する。
【００２２】
したがって、この後には、壁を斜めに貫通し軸方向に連続して接続された第１、第２の鞘管ガイドに対して前記一面側又は他面側から鞘管を通して、この鞘管を壁に対して斜めに貫通させた後、この鞘管内に配管を挿入することにより、鞘管内を通して所定の場所に配管を導いて配設できる。このように請求項３の発明に係る壁貫通配管の壁通し具においては、壁に設けた斜めの設置穴で互いに嵌合することによって連結する筒状の第１、第２の鞘管ガイドを備えているから、これら鞘管ガイドに鞘管を通すことにより、鞘管を、無理に曲げることなく壁に斜めに貫通させて壁に沿って配設できる。したがって、例えば、外壁裏の狭い壁裏空間の内部にも無理なく鞘管を配設できると共に、この鞘管の内部に通して案内させる配管も無理に曲げることなく屋内等へと配設できる。
【００２３】
請求項４の発明に係る壁貫通配管の壁通し具は、住宅の壁を斜めに貫通する設置穴に挿入されるとともに、前記壁を途切れることなく貫通する鞘管が通される筒状の鞘管ガイドと、このガイドの一端部外周から一体に張り出して設けられ前記壁の一面に固定されるフランジ部と、を有したものである。
【００２４】
この請求項４の発明に係る壁貫通配管の壁通し具を壁に設置するには、まず、壁を斜めに貫通した設置穴に対して壁の一面側又は他面側から、フランジ部が設けられていない方の鞘管ガイドの端部を先頭に、このガイドを前記フランジ部が壁に当接するまで壁に対して斜めに挿入してから、前記フランジ部を壁にねじ止め等により固定すればよい。それにより、壁通し具を壁に対して斜めに設置できる。
【００２５】
したがって、この後には、壁を斜めに挿入された筒状の鞘管ガイドに対して前記一面側又は他面側から鞘管を通して、この鞘管を壁に対して斜めに貫通させた後、この鞘管内に配管を挿入することにより、鞘管内を通して所定の場所に配管を導いて配設できる。このように請求項４の発明に係る壁貫通配管の壁通し具においては、壁に設けた斜めの設置穴に挿入される筒状鞘管ガイドを備えているから、この斜めのガイドに鞘管を通すことにより、鞘管を、無理に曲げることなく壁に斜めに貫通させて壁に沿って配設できる。したがって、例えば、外壁裏の狭い壁裏空間の内部にも無理なく鞘管を配設できると共に、この鞘管の内部に通して案内させる配管も無理に曲げることなく屋内等へと配設できる。
【００２６】
請求項５の発明に係る壁貫通配管の壁貫通構造は、請求項１から４の内のいずれか一項に記載の壁通し具を使用し、その鞘管ガイドを住宅の壁に対して斜めとなる姿勢にして、この鞘管ガイドの少なくとも一部を、前記壁を斜めに貫通する設置穴に配置し、斜めの前記鞘管ガイドにその傾き方向に鞘管を通してこの鞘管を前記壁に対して途切れることなく斜めに貫通させるとともに、この斜めの鞘管内に前記壁を貫通する配管を通して案内し、この配管を曲げることなく配設している。
【００２７】
この請求項５の発明は、請求項１から３の内のいずれか一項に記載の壁通し具を使用して、壁に設けた斜めの設置穴を配置した筒状の鞘管ガイドに鞘管を通すことにより、鞘管を、無理に曲げることなく壁に斜めに貫通させて壁に沿って配設できる。したがって、例えば、外壁裏の狭い壁裏空間の内部にも無理なく鞘管を配設できると共に、この鞘管の内部に通して案内させる配管も無理に曲げることなく屋内等へと配設できる。このように配管を配設できるので、この配管が送液管であって、そこから液漏れを生じた場合、漏れた液体を、壁を斜めに貫通した鞘管を通して屋外等に導出できる。
【００２８】
請求項６の発明に係る壁貫通配管の壁貫通構造は、斜めの前記設置穴を、屋外と屋内とを仕切る前記壁の屋外側に向けて下がるように傾斜して設けている。
【００２９】
この請求項６の発明では、設置穴の屋外側部位が屋内側部位より下方に位置するので、雨水が屋内に侵入することを防止できる利点がある。
【発明の効果】
【００３０】
請求項１に記載の発明に係る壁貫通配管の壁通し具によれば、固定手段を介して壁押さえとともに壁に固定される斜めの鞘管ガイドを壁に斜めに設けた設置穴に貫通させて、このガイドに鞘管を通してこの鞘管を壁に対して斜めに貫通させることができ、それにより内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。
【００３１】
請求項２に記載の発明に係る壁貫通配管の壁通し具によれば、壁に固定される鞘管ガイドを壁に斜めに設けた設置穴に貫通させ、その設置穴から突出した端部を壁に固定される壁押さえを介して固定して、前記斜めの鞘管ガイドに鞘管を通してこの鞘管を壁に対して斜めに貫通させることができるから、鞘管の内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。
【００３２】
請求項３に記載の発明に係る壁貫通配管の壁通し具によれば、壁に斜めに設けた設置穴に挿入されて互いに嵌合される第１、第２の鞘管ガイドの互いに連続した斜めのガイド筒部に鞘管を通して、この鞘管を壁に対して斜めに貫通させることができ、それにより内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。
【００３３】
請求項４に記載の発明に係る壁貫通配管の壁通し具によれば、壁に斜めに設けた設置穴に挿入される鞘管ガイドを有して壁に固定され、その斜めの鞘管ガイドに鞘管を通して、この鞘管を壁に対して斜めに貫通させることができるから、鞘管の内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。
【００３４】
請求項５に記載の発明に係る壁貫通配管の壁通し構造によれば、請求項１から４の内のいずれか一項に記載の壁通し具を使用して、壁に設けた斜めの設置穴を配置した筒状の鞘管ガイドに鞘管を通すことにより、この鞘管を壁に対して斜めに貫通させることができるから、鞘管の内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。更に、配管から漏れた液体を鞘管で導出できるので、屋内への浸水を防止できる。
【００３５】
請求項６の発明に係る壁貫通配管の壁通し構造によれば、屋外と屋内とを仕切る壁を斜めに貫通する設置穴を通って雨水が侵入しにくい利点がある。
【発明を実施するための最良の形態】
【００３６】
（実施形態１）
以下、図１〜図４を参照して本発明の第１の実施の形態に係る壁貫通配管の壁通し具を説明する。
【００３７】
図１は第１実施形態の壁貫通配管の壁通し具１を一戸建の建屋の外壁２の設置穴３に取付けて、配管４及び鞘管５を貫通させた状態を示す断面図である。
【００３８】
図２（ａ）及び（ｂ）に示すように、この壁通し具１は第１壁通し部材６と第２壁通し部材７と連結手段とからなる。
【００３９】
合成樹脂製の第１壁通し部材６は、住宅の壁としての外壁２の厚み方向両面に夫々開放されていると共に上下方向に長い小判形をなして設けられた設置穴３に、屋外側から嵌め込む第１筒部８と、この第１筒部８と一体に形成されて外側に張り出し、設置穴３の屋外側縁部と引掛かり合う第１フランジ部１０と、第１筒部８の例えば屋外側端部に一体に形成されて第１筒部８の内側を閉じる閉塞部１２と、この閉塞部１２の下部に一体に形成されて屋内側から屋外側にかけて斜めに貫通する円筒形をなした鞘管ガイド１３とから構成される。なお、前記設置穴３は、外壁２に対して直交する方向に沿って、前記外壁２を貫通している。
【００４０】
鞘管ガイド１３はその屋内側端部が屋外側端部よりも上側に位置するように斜めに設けられ、したがって閉塞部１２の一端部から斜め下向きに突設されている。さらに、鞘管ガイド１３は後述する鞘管５を挿通できるように鞘管５よりやや大径となっている。使用状態において鞘管ガイド１３の屋内側端部は図３に示されるように設置穴３内に位置される。
【００４１】
周方向に連続すると共に例えば閉塞部１２と面一に連続した第１フランジ部１０の外壁２側には、第１壁通し部材６を設置穴３に設置したときに、第１フランジ部１０と外壁２との隙間を埋めて挟み込まれ雨水等の設置穴３への浸入を防止するための止水パッキン１４ａが設けられている。なお、前記隙間をコーキング処理する場合には止水パッキン１４ａは省略できる。
【００４２】
閉塞部１２には、この第１壁通し部材６と後述の第２壁通し部材７とを連結するための連結手段としてのねじ１５をねじ込むためのねじ通孔１６が第１筒部８の内側に貫通して設けられている。
【００４３】
合成樹脂製の第２壁通し部材７は、外壁２に設けられた設置穴３に、屋内側から嵌め込む第２筒部１７と、この第２筒部１７と一体に形成されて外側に張り出し、設置穴３の屋内側縁部と引掛かり合う第２フランジ部１９とからなる。周方向に連続する第２フランジ部１９の外壁２側には、第２壁通し部材７を設置穴３に設置したときに、第２フランジ部１９と外壁２との隙間を埋めて挟み込まれる止水パッキン１４ｂが設けられている。この止水パッキン１４ｂは省略してもよい。又、第２筒部１７の屋外側端部の内側には、連結手段としてのねじ１５を受け止めるためのねじ孔を有した螺合部２１が第１壁通し部材６のねじ通孔１６と対向する位置に設けられている。
【００４４】
壁通し具１が設置穴３に嵌め込まれるなどして取り付けられた際に、住宅の鉛直方向に沿う第１筒部８及び第２筒部１７の幅Ｄは、鞘管５の外径ｄの約２から３倍以上の寸法に形成されている。このように、第１筒部８及び第２筒部１７の幅Ｄは、鞘管５の外径ｄより十分大きく形成されている。
【００４５】
前記壁通し具１の具体的な寸法例を挙げると、呼び径が直径１３ｍｍの配管４を呼び径が直径２８ｍｍの鞘管５に通して、厚さ７５ｍｍの外壁２を貫通させる場合、外壁２を通る配管４及び鞘管５の外壁２に対する挿入角度が４５°となるように鞘管ガイド１３を閉塞部１２に対して設ける。又、このとき、設置穴３の口径の最も長い方向は長さ１５０ｍｍ以上が望ましい。又、図３に示すように、鞘管ガイド１３は鞘管５が貫通する際に接触する方向にのみ開口部があれば良く、正面から見て開口部は楕円形状でも構わない。この場合、配設に必要な壁裏空間２４は幅７０ｍｍ以上とする。
【００４６】
次に、外壁２への壁貫通配管の壁通し具１の取付け作業を説明する。
【００４７】
外壁２には予め前記第１、第２筒部８、１７の大きさに合わせた設置穴３が、屋外側と屋内側とを連通して外壁２に対して直交する方向に沿って貫通して開けられている。まず、第１壁通し部材６を取付ける。第１壁通し部材６の第１筒部８を設置穴３の屋外側から屋内側へ向かって、第１フランジ部１０が設置穴３の屋外側縁部に引掛かって止まるまで嵌め込む。このとき、第１フランジ部１０と外壁２の屋外側との隙間は、第１フランジ部１０の壁側に設けられた止水パッキン１４ａによって隙間無く塞がれる。
【００４８】
次に、第２壁通し部材７を取付ける。第１壁通し部材６とは反対に、第２壁通し部材７の第２筒部１７を設置穴３の屋内側から屋外側へ向かって、第２フランジ部１９が設置穴３の屋内側縁部に引掛かって止まるまで嵌め込む。それにより、設置穴３内で第１筒部８の屋内側端部と第２筒部１７の屋外側端部とが接近する。このとき、前述の第１壁通し部材６の場合と同様に、第２フランジ部１９と外壁２の屋内側との隙間は、第２フランジ部１９の壁側に設けられた止水パッキン１４ｂによって隙間無く塞がれる。
【００４９】
この後、第１壁通し部材６の閉塞部１２のねじ通孔１６を通して、屋外側からねじ１５を第２壁通し部材７の螺合部２１にねじ込むことで、第１壁通し部材６と第２壁通し部材７とを連結すると共に、止水パッキン１４ａ、１４ｂが外壁２の内外両壁面に夫々圧接される。以上で外壁２の設置穴３への壁貫通配管の壁通し具１の取付けが終了する。
【００５０】
この第１実施形態の壁貫通配管の壁通し具１は第１壁通し部材６と第２壁通し部材７とをねじ１５により連結しているだけなので、将来この壁貫通配管の壁通し具１を取り外す必要が生じたときには、ねじ１５を緩めて外すだけで、外壁２の設置穴３からこの壁貫通配管の壁通し具１を取り外すことができる。
【００５１】
次に、例えば給湯又は給水のための送液用の配管４及び鞘管５を、前述のようにして外壁２の設置穴３に取付けた壁貫通配管の壁通し具１に通す配設作業を説明する。配管４は架橋ポリエチレン管であって可撓性を有し、この配管４が通される鞘管５は配管４よりも硬質な合成樹脂製ではあるが、可撓性に優れた波付け管が採用されている。
【００５２】
鞘管５は、例えば屋外から屋内へと通される。すなわち、鞘管５の一端を第１壁通し部材６の鞘管ガイド１３に屋外側から斜め上向きに通していく。図３及び図４（ａ）、（ｂ）に示されるように、鞘管ガイド１３はこの屋内側端部が屋外側端部よりも上側に在るように閉塞部１２を斜めに貫通して設けられているため、鞘管ガイド１３を通して屋外から屋内へと通された鞘管５は、壁通し具１をその第２壁通し部材１６に引掛かることなく斜め上向きに通り抜けて外壁２の屋内側壁面に沿って上方へと押し込まれるから、図１に示されるように、外壁２と部屋の内装板２３とによって作られる幅の狭い壁裏空間２４や、部屋の天井２５の上の屋根裏空間２６にも無理に折り曲げられて座屈変形を起こすことなく配設できる。配設し終わった鞘管５は、外壁２等に適当な間隔に取付けられるＵ字形をなしたサドル２７等を用いてずれ落ちないように固定される。
【００５３】
次に、壁通し具１を斜めに貫通して鞘管ガイド１３に中間部が支持された鞘管５に対して、屋外より配管４を斜め上向きに挿入することによって、この配管４を鞘管５に沿わせて配設する。鞘管５は無理に折り曲げられることなく既に必要とされる所定の位置まで配設されているので、配管４は、無理に折り曲げられて座屈変形を起こすことなく鞘管５の内部を通って所定の位置まで案内される。鞘管５の配設及び固定作業の終了後に、図３に示すように、鞘管ガイド１３の屋外側の開口部において、コーキング材２８による止水処理を施して鞘管５と開口部との隙間を塞ぐ。この止水処理によって、鞘管ガイド１３を通して屋外から屋内へ雨水等が浸入するおそれを極めて低くできる。なお、コーキング処理に代えて鞘管ガイド１３と鞘管５との間にＯリングを挟んでもよく、又、これら両止水処理を兼用してもよい。
【００５４】
又、屋外側の鞘管５の他端は外壁２の屋外側に設置されたシステムアジャスタ支え２９によって支持されたシステムアジャスタ３０に接続される。配管４が通るシステムアジャスタ３０は伸縮自在の蛇腹部３１を有しており、鞘管５の屋外に露出している部分の長さに適合した高さに伸び縮みできる。又、システムアジャスタ３０の下端を受けるピン付オスアダプタ３３には継手３２を介して配管４が接続されている。このアダプタ３３は屋外に設置された給湯器３４に連結されていて、給湯器３４の温水等が導かれる。
【００５５】
以上、説明した壁貫通配管の壁通し具１を用いた配管４及び鞘管５の配設作業によれば、外壁２に対して斜めに設けられた鞘管ガイド１３に鞘管５を通すことで、外壁２の壁面に沿うように鞘管５を屋内へと配設する。第１筒部８及び第２筒部１７の鉛直方向に沿った幅Ｄが、鞘管５の外径ｄより十分大きく形成されているので、鞘管５が無理に折り曲げられて座屈変形を起さない十分に広い空間Ｓを、第１筒部８及び第２筒部１７内に確保できる。また、外壁２に対して斜めに設けられた鞘管ガイド１３に鞘管５を通すことで、外壁２の壁面に沿うように鞘管５を屋内へと配設できる。
【００５６】
したがって、外壁２の屋内側の狭い壁裏空間内においても鞘管５を無理に折り曲げて座屈変形を起こさせることがない。このため、鞘管５の内部に通して屋外から屋内へと配設する配管４も無理に折り曲げて座屈変形を起こさせることなく、容易に配設できる。さらに、屋外側より配管４を斜め下方に引っ張ることにより、挿入時と同様に鞘管５をガイドとして少ない抵抗で容易に配管４を引き出せるので、こうした配管４の出し入れ操作によって、将来において配管４が老朽化した場合の配管４の更新作業も簡単に行うことができる。
【００５７】
又、壁貫通配管の壁通し具１の位置において鞘管５は途切れることなく屋外から屋内へと連続して配設されている。このため、屋内で配管４から水が漏れ出しても鞘管５の内部を伝わって屋外へと排出されるので、屋内への浸水のおそれが低い。しかも、鞘管５及び配管４が外壁２を貫通しており、配管４に対する継手部分は外壁２の屋外側にあるので、漏水し易い継手部分からの漏水があっても屋内への浸水のおそれがない。
【００５８】
又、鞘管ガイド１３はこの屋内側が屋外側よりも上側に位置するように閉塞部１２を斜めに貫通して設けられているので、雨水等が斜め下向きの鞘管ガイド１３を通って屋外から屋内へと浸入するおそれが殆どない。加えて、この鞘管ガイド１３の屋外側の開口部にコーキング材２８等による止水処理を施して鞘管５と開口部との隙間を塞いだので、より一層のこと浸水のおそれがない。
【００５９】
又、第１、第２フランジ部１０、１９及びそれらに夫々設けられた止水パッキン１４ａ、１４ｂによって、外壁２の両側から設置穴３を隙間なく挟み込むサンドイッチ構造をとっているので、簡単に止水処理ができると共に、設置穴３と壁通し具１との間の埋め戻し作業等の閉栓処理も不要にでき、施工性がよい。
【００６０】
又、設置穴３への壁通し具１の取付け作業と、屋内における配管４及び鞘管５の配設作業の順序はどちらが先でも構わない。又、プレハブ住宅の場合には壁通し具１を外壁２に予め取付けておくことができるから、その場合には建築現場での壁通し具１の取付けが不要であり、容易に配設作業を行うことができる。
【００６１】
又、壁通し具１は正面から見た形状が上下方向に沿って長い小判形となっていて小型であるため、外壁２に設けられた設置穴３も正面から見た形状を同様の小判形とできるので、大きな円形の穴を外壁２に設ける必要がなく、設置穴３を設けることによる外壁２の強度の低下を抑制できる。
【００６２】
（実施形態２）
次に、図５〜図７を参照して本発明の第２の実施の形態に係る壁貫通配管の壁通し具１を説明する。
【００６３】
図５に示すように、第２実施形態の壁貫通配管の壁通し具１は、円筒形をなしている第１壁通し部材６及び第２壁通し部材７と、連結手段とからなる。
【００６４】
第１壁通し部材６は、外壁２に設けられた設置穴３に、この設置穴３の屋外側から嵌め込む第１筒部８と、この第１筒部８と一体に形成されて外側に張り出し、設置穴３の屋外側縁部と引掛かり合う第１フランジ部１０と、第１筒部８及び第１フランジ部１０と一体に形成されて第１筒部８の屋外側端部を閉じる閉塞部１２と、この閉塞部１２を屋内側から屋外側にかけて、屋内側が屋外側よりも上側に位置するように上下方向斜めに貫通する円筒形をなした鞘管ガイド１３とから構成される。第１フランジ部１０の壁側には、第１壁通し部材６を設置穴３に設置したときに、第１フランジ部１０と外壁２との隙間を埋めて雨水等の設置穴３への浸入を防止するための止水パッキン１４ａが設けられている。又、第１筒部８の屋内側端部の内周面には、この第１壁通し部材６と後述の第２壁通し部材７とを連結するための連結手段としての第１ねじ部３５が形成されている。
【００６５】
第２壁通し部材７は、外壁２に設けられた設置穴３に、この設置穴３の屋内側から嵌め込む第２筒部１７と、この第２筒部１７と一体に形成されて外側に張り出し、設置穴３の屋内側縁部と引掛かり合う第２フランジ部１９とからなる。第２フランジ部１９の壁側には、第２壁通し部材７を設置穴３に設置したときに、第２フランジ部１９と外壁２との隙間を埋めて屋内への水漏れを防止するための止水パッキン１４ｂが設けられている。又、第２筒部１７の屋外側端部の外周面には、この第２壁通し部材７と前述の第１壁通し部材６とを連結するための連結手段としての第２ねじ部３６が、第１壁通し部材６の第１ねじ部３５と例えば同じ幅だけ設けられている。
【００６６】
又、図６に示すように、第１筒部８と第２筒部１４の長さは外壁２の厚みよりも第１、及び第２ねじ部３５、３６の幅の分だけ長くなるように設計されている。
【００６７】
次に、外壁２の設置穴３への第１壁通し部材６及び第２壁通し部材７の取付け作業を説明する。なお、第１壁通し部材６と第２壁通し部材７とを連結する以前の作業は第１実施形態の場合と全く同じであるのでその説明を省略し、第１壁通し部材６と第２壁通し部材７との連結作業についてのみ説明する。
【００６８】
第１実施形態の場合と同様にして、第１壁通し部材６及び第２壁通し部材７を夫々設置穴３の屋外側及び屋内側から設置穴３に押し込むと、第１筒部８の屋内側端部と第２筒部１７の屋外側端部とが当接する。この後、第１壁通し部材６を屋外側から作業員の人手等により回転しないように外壁２に押さえ付けてから、屋内側から第２筒部１７を回転させることによって、第１壁通し部材６の第１ねじ部３５に第２壁通し部材７の第２ねじ部３６を噛み合わせる。第２壁通し部材７の第２フランジ部１９が設置穴３の屋内側縁部に引掛かって圧接し、第２壁通し部材７を回転操作できなくなった時点で、外壁２への壁貫通配管の壁通し具１の取付けが終了する。
【００６９】
この第２実施形態の壁貫通配管の壁通し具１は第１壁通し部材６の第１ねじ部３５に第２壁通し部材７の第２ねじ部３６を噛み合わせることにより連結しているだけであるので、第１実施形態の場合と同様に、将来この第２実施形態の壁貫通配管の壁通し具１を取り外す必要が生じたときには、第１、第２壁通し部材６、７を回して両ねじ部３５、３６の噛み合いを外すだけで、外壁２の設置穴３からこの第２実施形態の壁貫通配管の壁通し具１を取り外すことができる。
【００７０】
又、この第２実施形態の壁貫通配管の壁通し具１は、第１ねじ部３５と第２ねじ部３６との噛み合い寸法Ｌの範囲内で、壁通し具１の軸方向の寸法を調節できる。このため、この第２実施形態の壁貫通配管の壁通し具１を取付ける外壁２の厚みが予定されていたものと若干違っていたとしても、前記寸法Ｌの範囲内であれば、第１ねじ部３５と第２ねじ部３６との噛み合いの深さを調節することによって、外壁２の厚み変動に対応して、この第２実施形態の壁貫通配管の壁通し具１を外壁２に設けられた設置穴３へ取付けることが可能であるという点で優れている。
【００７１】
さらに、この第２実施形態の壁貫通配管の壁通し具１は円筒形であるので、これに合わせて設置穴３も円筒形となっている。このため、外壁２の屋外側に設置された給湯器３４の位置や、屋内における配管４及び鞘管５を配設する方向に合わせて、壁通し具１の姿勢、つまり、第１壁通し部材６を回動させて鞘管ガイド１３の向きを適合させることができ、それにより配管４及び鞘管５を曲げようとする力が最も小さくなるように壁通し具１を調整して設置できる。
【００７２】
以上説明した点以外の構成、及び配管４及び鞘管５の配設作業は第１実施形態の場合と同じであるので、図５〜図７において第１実施形態と同一部分には同一符号を付してある。したがって、この第２実施形態の壁貫通配管の壁通し具１とこれを用いた壁貫通構造は、本発明が解決しようとする第１〜第３の課題を解決できる。
【００７３】
（実施形態３）
次に、図８を参照して本発明の第３の実施の形態に係る壁貫通配管の壁通し具１を説明する。
【００７４】
この第３実施形態の壁貫通配管の壁通し具１は鞘管ガイド１３の本数が第１実施形態の壁貫通配管の壁通し具１とは異なり、その他は第１実施形態と全て同じである。すなわち、図８に示すように、この第３実施形態の壁貫通配管の壁通し具１は、第１実施形態の壁貫通配管の壁通し具１の鞘管ガイド１３を２本並列させた小判形をなしている。
【００７５】
このような壁通し具１を用いれば、送水用及び給湯用等の２本の配管４を複数本同時に外壁２に斜めに貫通させて配設できる。そのため、外壁２に設置穴３を多数設けて強度低下を招くことを抑制しつつ外壁２に複数本の配管４を貫通して配設できる点で優れている。
【００７６】
以上説明した点以外の構成、外壁２への取付け作業の仕方、及び配管４及び鞘管５の配設作業は第１実施形態の場合と同じであり、図８において第１実施形態と同一部分には同一符号を付してある。したがって、この第３実施形態の壁貫通配管の壁通し具１とこれを用いた壁貫通構造においても本発明が解決しようとする第１〜第３の課題を解決できる。
【００７７】
（実施形態４）
次に、図９及び図１０を参照して本発明の第４の実施の形態に係る壁貫通配管の壁通し具１を説明する。
【００７８】
図９に示すように、この第４実施形態の壁貫通配管の壁通し具１は、前述の第１実施形態の第１壁通し部材６だけで構成されており、その第１筒部８の長さは外壁２の厚みに応じて長く作られている。又、図９及び図１０（ａ）に示すように、その閉塞部１２には、この第４実施形態の壁貫通配管の壁通し具１を外壁２の設置穴３へ固定するための取付け手段としてのねじ１５が貫通するねじ通孔１６が、第１筒部８及び止水パッキン１４ａの外側４箇所に設けられている。
【００７９】
次に、この第４実施形態の壁通し具１の外壁２の設置穴３への取付け作業を説明する。
【００８０】
第１実施形態の壁通し具１の第１壁通し部材６と同様の方法で、この第４実施形態の壁通し具１を設置穴３に嵌め込んだ後、閉塞部１２に設けられたねじ通孔１６を通して、その屋外側からねじ１５を外壁２に直接ねじ込んで、固定する。以上で外壁２の設置穴３への第４実施形態の壁貫通配管の壁通し具１の取付けが終了する。
【００８１】
この第４実施形態の壁貫通配管の壁通し具１はねじ１５を用いて直接外壁２に固定しているだけであるので、将来この壁貫通配管の壁通し具１を取り外す必要が生じたときには、ねじ１５を緩めて外すだけで、外壁２の設置穴３からこの第４実施形態の壁貫通配管の壁通し具１を外壁２の屋外側から簡単に取り外すことができるという点で優れている。
【００８２】
以上説明した点以外の構成、外壁２への取付け作業の仕方、及び配管４及び鞘管５の配設作業は第１実施形態の場合と同じであり、図９及び図１０において第１実施形態と同一部分には同一符号を付してある。したがって、この第４実施形態の壁貫通配管の壁通し具１とこれを用いた壁貫通構造においても本発明が解決しようとする第１〜第３の課題を解決できる。
【００８３】
（実施形態５）
次に、図１１を参照して本発明の第５の実施の形態に係る壁貫通配管の壁通し具５１を説明する。なお、以下説明する壁通し具５１及び壁の設置穴５３以外は、図１１に示されない部分を含めて前記第１の実施の形態と同じであるから、鞘管及び配管等の同一部分についての説明は、第１の実施の形態と同じ符号を付してその説明を省略し、異なる部分についてのみ説明する。
【００８４】
この第５の実施形態に係る壁通し具５１が設置される住宅の壁、本実施形態の場合にはプレハブ工法により作られる住宅の外装パネル（外壁）５２の所定位置には、斜めに貫通する断面円形の設置穴５３が開けられている。この穴５３は屋内側から屋外側に行くにしたがって次第に下がるように傾斜している。壁通し具５１は、鞘管ガイド５４と、壁押さえ５５と、固定手段としての締付けナット５６とを具備している。
【００８５】
金属又は硬質合成樹脂製の鞘管ガイド５４は、外装パネル５２の厚みよりも長い円筒状をなしており、その一端部外周には周方向に連続するフランジ部６１が設けられ、他端部外周にはねじ部６２が設けられている。フランジ部６１は鞘管ガイド５４の軸線に対して交差する方向に沿って外側に張り出して設けられている。この鞘管ガイド５４は、そのねじ部６２が設けられた端部を先頭にして、例えば外装パネル５２の内側から設置穴５３に通して斜めに設けられ、それによって、フランジ部６１が外装パネル５５の内面、詳しくは設置穴５３の室内側の穴縁に引掛るようになっている。
【００８６】
金属又は硬質合成樹脂製の壁押さえ５５は、外装パネル５２の外面から斜めに突出した部分の外周に摺動可能に嵌合して設けられている。この壁押さえ５５は鞘管ガイド５４の軸方向に少なくとも摺動可能であればよい。例えば、鞘管ガイド５４の外周面と壁押さえ５５との内周面とに夫々軸方向に延びる１以上の凹部又は凸部を設けて、これらを互いの延び方向、つまり、前記軸方向に沿って摺動可能に凹凸嵌合させて、鞘管ガイド５４に対して壁押さえ５５を回り止めしてもよく、このようにする場合には後述の固定操作に伴って壁押さえ５５が回ることを防止して施工性をより向上できる点で優れる。
【００８７】
壁押さえ５５は外装パネル５２の壁面に沿う斜めの壁押さえ面５５ａを有している。この面５５aは正面から見た場合にリング形をなしており、そこには同形状の止水パッキン６３が接着されている。このパッキン６３は、設置穴５３と鞘管ガイド５４との間の止水手段として用いられるものであるが、前記の例に代えて外装パネル５２の外面に接着してもよく、或いは、壁押さえ面５５ａ及び外装パネル５２の外面のいずれにも接着することなく、これらの間に挟んで設けてもよい。なお、止水パッキン６３に代えてコーキング材を壁押さえ面５５ａと外装パネル５２の外面とにわたってコーキング処理を行なってもよい。
【００８８】
金属又は硬質合成樹脂製の締付けナット５６は、中央部に鞘管通孔５６ａを有していて、前記ねじ部６２にねじ込んで取外し可能に螺着されている。このナット５６の周部端面は壁押さえ５５の前記面５５ａとは反対側の端面に当接されている。したがって、締付けナット５６は鞘管ガイド５４と壁押さえ５５とにわたって設けられており、このナット５６の締付けにより、壁押さえ５５を外装パネル５２の外面に向けて移動させ、かつ、押付け保持できるようになっている。
【００８９】
又、図１１中符号６４は鞘管ガイド５４のねじ部６２を設けた側の端面と締付けナット５６との間に挟んで設けられたＯリングであり、締付けナット５６の締付けにより弾性変形して鞘管５の外周面に密着し、鞘管通孔５６a部分での止水を行なうために使用されている。なお、Ｏリング６４に代えてコーキング処理を鞘管通孔５６a部分に施して、鞘管ガイド５４と鞘管５との間の止水手段を構成してもよい。
【００９０】
なお、前記構成の壁貫通配管の壁通し具５１の具体的な寸法例を挙げると、呼び径１３ｍｍの配管４を呼び径２８ｍｍの鞘管５とともに、７５ｍｍの厚みの外装パネル５２に斜めに貫通させる場合、設置穴５３の壁貫通角度θは４５°とし、設置穴５３の穴径は４５ｍｍ程度とすることが、設置穴５３による外装パネル５２の強度低下を小さくする上で望ましい。又、以上説明した点以外の構成は前記第１の実施の形態と同じである。
【００９１】
次に、前記構成の壁貫通配管の壁通し具５１を用いた配管４及び鞘管５の配設作業を説明する。まず、外装パネル５２に壁通し具５１を設置する手順を説明する。
【００９２】
鞘管ガイド５４をその壁押さえ５５が嵌合される側の端部を先頭にして、外装パネル５２をその内壁面側から外壁面側に向けて斜めに下がるように貫通した設置穴５３に前記内壁面側から挿通する。この挿通はフランジ部６１が前記内壁面において設置穴５３の穴縁に引掛るまで行われ、それにより、鞘管ガイド５４が設置穴５３を斜めに貫通してそのねじ部６２を有した端部が、外装パネル５２の外壁面から斜め下向きに突出する。次に、斜め下向きに突出した鞘管ガイド５４の前記端部の外周に壁押さえ５５を、その止水パッキン６３全体が外装パネル５２の外面に接するように嵌合させる。最後に、鞘管ガイド５４のねじ部６２に固定手段としての締付けナット５６を螺合して、これを回動操作し締付けることにより、鞘管ガイド５４と壁押さえ５５とにわたって締付けナット５６を設ける。
【００９３】
このナット５６の締付けにより、壁押さえ５５を鞘管ガイド５４の軸方向に沿って外装パネル５２の外壁面に押付けて保持する。それにより、フランジ部６１と壁押さえ５５との間に外装パネル５２を挟んだ状態で外装パネル５２を斜めに貫通して壁通し具５１が設置される。この設置と同時に、外装パネル５２の外面と壁押さえ５５との間に配置された止水パッキン６３が圧縮状態となって、設置穴５３と鞘管ガイド５４との間への浸水を阻止できる。
【００９４】
前記設置作業において、外装パネル５２の外壁面から斜め下向きに突出された鞘管ガイド５４の端部に対してこれに嵌合された壁押さえ５５は軸方向に摺動可能であり、かつ、壁押さえ５５は締付けナット５６の締付けにより外装パネル５２へ移動されるものであるから、壁押さえ５５を軸方向に移動によりこれとフランジ部６１との間の距離を調節して壁通し具５１を設置できる。すなわち、本実施形態に係る壁通し具５１は厚みの異なる種々の外装パネル７２への設置に容易に適合できる。
【００９５】
この後には、外装パネル５２を斜めに貫通した鞘管ガイド５４及び締付けナット５６の鞘管通孔５６ａに外装パネル５２の例えば外壁面側から鞘管５を通して、この鞘管５の中間部を外装パネル５２に対して斜めに貫通させた後、この鞘管５内に外装パネル５２の外壁面側から配管４を挿入することにより、鞘管５内を通して所定の場所に配管４を導いて配設する。この設置状態において、鞘管ガイド５４と鞘管５との間の止水を行なう場合には、一旦、締付けナット５６を取外してその内側にＯリング６４を配置させた状態で、再び締付けナット５６を締付ければよい。それにより、Ｏリング６４が締付けナット５６と鞘管ガイド５４の端面との間に挟着されるに伴って弾性変形されて、このＯリング６４が鞘管５の外周面に密着して、鞘管ガイド５４と鞘管５との間の止水が行われる。なお、コーキング処理により止水を行なう場合には、締付けナット５６を取外すことなく、その鞘管通孔５６aと鞘管５との間にコーキング材を充填することで行なえばよい。
【００９６】
なお、以上の点以外の接続作業等は前記第１の実施の形態と同じである。又、プレハブ住宅の外装パネル５２に対してはその生産段階で予め壁通し具５１を装着して置くことができるので、このようにして建築現場に供給する場合には、建築現場では壁通し具５１を外装パネル５２に設置する作業を要することがなくなり、したがって、建築現場での鞘管５及び配管４の配設作業を速やかに開始することができる。
【００９７】
以上説明した壁貫通配管の壁通し具５１を用いた配管４及び鞘管５の配設作業によれば、外装パネル５２を斜めに貫通して設けられた鞘管ガイド５４に鞘管５を通すことで、外装パネル５２の内壁面に沿うように鞘管５を屋内へと配設でき、外装パネル５２の屋内側の狭い壁裏空間内においても鞘管５を無理に折り曲げて座屈変形を起こさせることがない。このため、鞘管５の内部に通して屋外から屋内へと配設する配管４も無理に折り曲げて座屈変形を起こさせることなく、容易に配設できる。さらに、屋外側より配管４を斜め下方に引っ張ることにより、挿入時と同様に鞘管５をガイドとして少ない抵抗で容易に配管４を引き出せるので、こうした配管４の出し入れ操作によって、将来において配管４が老朽化した場合の配管４の更新作業も簡単に行うことができる。
【００９８】
しかも、前記壁通し具５１の採用により、鞘管５を外装パネル５２の位置において途切れることなく屋外から屋内へと連続して配設できるため、屋内で配管４から水が漏れ出しても鞘管５の内部を伝わって屋外へと排出され、屋内への浸水のおそれが低いとともに、外装パネル５２を貫通した配管４に対する継手部分は外装パネル５２の屋外側にあるので、漏水し易い前記継手部分からの漏水があっても屋内へ浸入するおそれがない。
【００９９】
又、鞘管ガイド５４は屋外側に向けて斜めに下がるように傾斜して外装パネル５２を貫通して設けられているので、雨水等が斜めの鞘管ガイド５４を通って屋外から屋内へと浸入するおそれが殆どない。加えて、この鞘管ガイド５４の屋外側の開口部にＯリング６４等による止水処理を施したので、より一層のこと浸水のおそれがない。
【０１００】
更に、この壁通し具５１は、鞘管ガイド５４のフランジ部６１と壁押さえ５５とで、外装パネル５２を厚み方向から挟み込むサンドイッチ構造をとっているので、止水パッキン６３を用いて簡単に止水処理ができると共に、設置穴５３と壁通し具５１との間の埋め戻し作業等の閉栓処理も不要にでき、施工性がよい。その上、前記サンドイッチ構造において外装パネル５２を挟み込む力を与える締付けナット５６は外装パネル５２に対して進退可能であるから、外装パネル５２の厚み変化に対応して壁通し具５１を取付けて用いることができる。又、前記サンドイッチ構造により、鞘管ガイド５４に新規に配管４を通すときは勿論のこと、老朽化した配管４を新品の配管と交換するときにおいても、配管４や鞘管５を鞘管ガイド５４に通す際等に加わる操作力を、配管等を押し込んだり、引き出したりする操作方向の上流側において外装パネル５２に引掛かっているフランジ部６１又は壁押さえ５５に波及させて外装パネル５２で分散して支持できる。よって、壁通し具５１が外装パネル５２から不用意に外れたり、外装パネル５２とこれを挟んだフランジ部６１及び壁押さえ５５との接合が緩むことがなく、したがって、防水性が損なわれるおそれを低くできる。
【０１０１】
又、前記構成の壁通し具５１の採用により、大きな円形の穴を外装パネル５２に設ける必要がなく、斜めの設置穴５３を設けることに伴う外装パネル５２の強度の低下を抑制できる。しかも、この第５実施形態では、前記サンドイッチ構造の採用とその締付けを行なう固定手段として締付けナット５６を用いたから、外装パネル５２への固定に要する固定部品と手間が少なく、しかも、締付け操作も回動するだけであって容易であるので、外装パネル５２への壁通し具５１の設置作業性がよい。しかし、この第５実施形態における固定手段としては、締付けナットに代えて、鞘管ガイド５４の外面に予め回動可能に取付けられているレバーを操作することにより、このレバーのカム部で壁押さえ５５を外装パネル５２側に押圧移動させて締付け力（外装パネル５２をフランジ部６１と壁押さえ５５とで挟み付ける力）を与えるレバー式等のクランプを採用することもできる。
【０１０２】
（実施形態６）
次に、図１２〜図１４を参照して本発明の第６の実施の形態に係る壁貫通配管の壁通し具７１を説明する。なお、以下説明する壁通し具７１及び壁の設置穴７３以外は、図１２〜図１４に示されない部分を含めて前記第１の実施の形態と同じであるから、鞘管及び配管等の同一部分についての説明は、第１の実施の形態と同じ符号を付してその説明を省略し、異なる部分についてのみ説明する。
【０１０３】
この第６の実施形態に係る壁通し具７１が設置される住宅の壁、本実施形態の場合にはプレハブ工法により作られる住宅の外装パネル（外壁）７２の所定位置には斜めに貫通する断面円形の設置穴７３が開けられている。この穴７３は屋内側から屋外側に行くにしたがって次第に下がるように傾斜しており、その壁貫通角度θは４５°である。壁通し具７１は、鞘管ガイド７４と、壁押さえ７５とを具備している。
【０１０４】
金属又は硬質合成樹脂製の鞘管ガイド７４は、外装パネル７２の厚みよりも長い円筒からなるガイド筒部７４ａの一端部外周に、周方向に連続して円形をなす（図１３参照）フランジ部７４ｂを一体に設けて形成されている。ガイド筒部７４ａの外径は設置穴７３の径に略等しい。フランジ部７４ｂはガイド筒部７４ａの軸線に対して交差する方向に沿って外側に張り出して設けられており、その複数箇所には図示しないねじ通し穴が開けられている。このフランジ部７４ｂが連なるガイド筒部７４ａの一端部の内周面にはテーパ面７６が設けられている。このテーパ面７６によってガイド筒部７４ａの内径はフランジ部７４ｂ側程次第に大きくなっている。
【０１０５】
金属又は硬質合成樹脂製の壁押さえ７５は、外装パネル７２の外面から斜めに突出した部分の外周に摺動可能に嵌合して設けられている。この壁押さえ７５はガイド筒部７４ａの軸方向に少なくとも摺動可能であればよい。例えば、鞘管ガイド７４の前記突出部外周面と壁押さえ７５の内周面との夫々に軸方向に延びる１以上の凹部又は凸部を設けて、これらを壁通し具７１の軸方向に沿って摺動可能に凹凸嵌合させて、ガイド筒部７４ａに対して壁押さえ７５を回り止めしてもよい。
【０１０６】
壁押さえ７５は外装パネル７２の壁面に沿うフランジ部７５ａを一体に有している。このフランジ部７５ａは円形をなして（図１４参照）壁押さえ７５の軸線に対して交差する方向に沿って外側に張り出して設けられており、その複数箇所には図示しないねじ通し穴が開けられている。フランジ部７５ａにはこれと同形状の止水パッキン７７が接着されている。このパッキン７７は、設置穴７３と鞘管ガイド７４との間の止水手段として用いられるものであるが、外装パネル７２の外面に接着してもよく、或いは、フランジ部７４ｂ及び外装パネル７２の外面のいずれにも接着することなく、これらの間に挟んで設けてもよい。なお、この止水パッキン７７に代えてコーキング処理をフランジ部７５ａと外装パネル７２の外面とにわたって施してもよい。
【０１０７】
次に、前記構成の壁貫通配管の壁通し具７１を用いた配管４及び鞘管５の配設作業を説明する。まず、外装パネル７２に壁通し具７１を設置する手順を説明する。
【０１０８】
フランジ部７４ｂがない方のガイド筒部７４ａの端部を先頭にして鞘管ガイド７４を、外装パネル７２の屋内側から設置穴７３に挿通させる。この挿通はフランジ部７４ｂが外装パネル７２の内壁面において設置穴７３の穴縁に引っ掛るまで行われ、それにより、ガイド筒部７４ａは屋内側から屋外側に行くにしたがって外装パネル７２を斜め下向きに貫通する。この状態で、フランジ部７４ｂの図示しないねじ通し穴に通されて外装パネル７２にねじ込まれるねじ７８を夫々締付けて、鞘管ガイド７４を外装パネル７２に固定する。次に、外装パネル７２の外壁面から斜め下向きに突出された鞘管ガイド７４の端部に、壁押さえ７５をその止水パッキン７７全体が外装パネル７２の外壁面に接するように嵌合させる。最後に、この壁押さえ７５のフランジ部７５ａの図示しないねじ通し穴に通されて外装パネル７２にねじ込まれるねじ７９を夫々締付けて、壁押さえ７５を外装パネル７２に固定する。
【０１０９】
以上の手順により、フランジ部７４ｂ、７５ａ間に外装パネル７２を挟んだ状態でこのパネル７２を斜めに貫通して壁通し具７１が設置される。この設置と同時に、外装パネル７２の外壁面と壁押さえ７５との間に挟まれた止水パッキン７７が圧縮状態となって、設置穴７３と鞘管ガイド７４との間への屋外からの浸水を防止できる。
【０１１０】
前記設置作業において、外装パネル７２の外壁面から斜め下向きに突出された鞘管ガイド７４の端部に対してこれに嵌合された壁押さえ７５は軸方向に摺動可能であり、かつ、壁押さえ７５は外装パネル７２にねじ止めされるものであるから、外装パネル７２の厚みが例えば７５ｍｍ又は１００ｍｍのいずれであっても壁押さえ７５を軸方向に動かして、既述のように壁通し具７１を設置できる。すなわち、本実施形態に係る壁通し具７１は厚みの異なる種々の外装パネル７２への設置に容易に適合できる。
【０１１１】
この後には、外装パネル７２を斜めに貫通した鞘管ガイド７４のガイド筒部７４ａに外装パネル７２の例えば内壁面側から鞘管５を通して、この鞘管５を外装パネル７２に対して斜めに貫通させた後、この鞘管５内に外装パネル７２の外面側から配管４を挿入することにより、鞘管５内を通して所定の場所に配管４を導いて配設する。
【０１１２】
この場合、ガイド筒部７４ａの屋内側端部にはテーパ面７６を設けてあり、屋内側から鞘管５を壁通し具７１に貫通する際の入口が広くなっているだけではなく、ガイド筒部７４ａは途中に継ぎ目がなく外装パネル７２を貫通する斜めの直管であるから、この筒部７４ａへの鞘管５の挿通（挿入方向は問わない）に際して鞘管５がガイド筒部７４ａに引掛る恐れがなく、したがって、鞘管５の挿通作業性がよい。この設置状態において、鞘管ガイド７４と鞘管５との間の止水を必要とする場合には、ガイド筒部７４ａの屋外に突出した端部と鞘管５とにわたって図示しないコーキング材を充填することで行なえばよい。
【０１１３】
なお、以上の点以外の接続作業等は前記第１の実施の形態と同じである。又、プレハブ住宅の外装パネル７２に対してはその生産段階で予め壁通し具７１を装着して置くことができるので、このようにして建築現場に供給する場合には、建築現場では壁通し具７１を外装パネル７２に設置する作業を要することがなくなり、したがって、建築現場での鞘管５及び配管４の配設作業を速やかに開始させることができる。
【０１１４】
以上説明した壁貫通配管の壁通し具７１を用いた配管４及び鞘管５の配設作業によれば、外装パネル７２を斜めに貫通して設けられた鞘管ガイド７４に鞘管５を通すことで、外装パネル７２の内壁面に沿うように鞘管５を屋内へと配設でき、外装パネル７２の屋内側の狭い壁裏空間内においても鞘管５を無理に折り曲げて座屈変形を起こさせることがない。このため、鞘管５の内部に通して屋外から屋内へと配設する配管４も無理に折り曲げて座屈変形を起こさせることなく、容易に配設できる。さらに、屋外側より配管４を斜め下方に引っ張ることにより、挿入時と同様に鞘管５をガイドとして少ない抵抗で容易に配管４を引き出せるので、こうした配管４の出し入れ操作によって、将来において配管４が老朽化した場合の配管４の更新作業も簡単に行うことができる。
【０１１５】
しかも、前記壁通し具７１の採用により、鞘管５を外装パネル７２の位置において途切れることなく屋外から屋内へと連続して配設できるため、屋内で配管４から水が漏れ出しても鞘管５の内部を伝わって屋外へと排出され、屋内への浸水のおそれが低いとともに、外装パネル７２を貫通した配管４に対する継手部分は外装パネル７２の屋外側にあるので、漏水し易い前記継手部分からの漏水があっても屋内へ浸水するおそれがない。
【０１１６】
又、鞘管ガイド７４は屋外側に向けて斜めに下がるように傾斜して外装パネル７２を貫通して設けられているので、雨水等が斜めの鞘管ガイド７４を通って屋外から屋内へと浸入するおそれが殆どない。
【０１１７】
更に、この壁通し具７１は、鞘管ガイド７４のフランジ部７４ｂと壁押さえ７５のフランジ部７５ａとで、外装パネル７２を厚み方向から挟み込むサンドイッチ構造をとっているので、止水パッキン７７を用いて簡単に止水処理ができると共に、設置穴７３と壁通し具７１との間の埋め戻し作業等の閉栓処理も不要にでき、施工性がよい。その上、前記サンドイッチ構造により、鞘管ガイド７４に新規に配管４を通すときは勿論のこと、老朽化した配管４を新品の配管と交換するときにおいても、配管４や鞘管５を鞘管ガイド７４に通す際等に加わる操作力を、配管等を押し込んだり、引き出したりする操作方向の上流側において外装パネル７２に引掛かっているフランジ部７４ｂ又は７５ａに波及させて外装パネル７２で分散して支持できる。よって、壁通し具７１が外装パネル７２から不用意に外れたり、外装パネル７２とこれを挟んだフランジ部７４ｂ又は７５ａとの接合が緩むことがなく、したがって、防水性が損なわれるおそれを低くできる。
【０１１８】
又、前記構成の壁通し具７１の採用により、大きな円形の穴を外装パネル７２に設ける必要がなく、斜めの設置穴７３を設けることに伴う外装パネル７２の強度の低下を抑制できる。しかも、この第６実施形態に係る壁通し具７１は、その構成部品が二部品で済むので、構造が簡単であり、安価に提供できるとともに、その外装パネル７２への固定も通常のねじ止め作業により容易に行なうことができる。
【０１１９】
（実施形態７）
次に、図１５〜図１７を参照して本発明の第７の実施の形態に係る壁貫通配管の壁通し具８１を説明する。なお、以下説明する壁通し具８１及び壁の設置穴８３以外は、図１５〜図１７に示されない部分を含めて前記第１の実施の形態と同じであるから、鞘管及び配管等の同一部分についての説明は、第１の実施の形態と同じ符号を付してその説明を省略し、異なる部分についてのみ説明する。
【０１２０】
この第７の実施形態に係る壁通し具８１が設置される住宅の壁、本実施形態の場合にはプレハブ工法により作られる住宅の外装パネル（外壁）８２の所定位置には斜めに貫通する断面円形の設置穴８３が開けられている。この穴８３は屋内側から屋外側に行くにしたがって次第に下がるように傾斜しており、その壁貫通角度θは４５°である。壁通し具８１は、第１、第２の鞘管ガイド８４、８５と、第１引掛り部８６と、複数の第２引掛り部８７〜８９とを具備している。
【０１２１】
金属又は硬質合成樹脂製の第１鞘管ガイド８４は、外装パネル８２の厚みよりも短い円筒からなるガイド筒部８４ａの一端部外周に、周方向に連続して円形をなす（図１６参照）フランジ部８４ｂを一体に設けて形成されている。ガイド筒部８４ａの外径は設置穴８３の径よりも小さい。フランジ部８４ｂはガイド筒部８４ａの軸線に対して交差する方向に沿って外側に張り出して設けられており、その複数箇所には図示しないねじ通し穴が開けられている。
【０１２２】
同様に、金属又は硬質合成樹脂製の第２鞘管ガイド８５も、外装パネル８２の厚みよりも短い円筒からなるガイド筒部８５ａの一端部外周に、周方向に連続して円形をなす（図１７参照）フランジ部８５ｂを一体に設けて形成されている。ガイド筒部８５ａは、前記ガイド筒部８４ａよりも大径であるとともに、その外径は設置穴８３の径に略等しく、又、ガイド筒部８５ａの先端部内周面にはテーパ面が設けられている。前記両ガイド筒部８４ａ、８５ａは設置穴８３内において互いに嵌合されるようになっている。フランジ部８５ｂはガイド筒部８５ａの軸線に対して交差する方向に沿って外側に張り出して設けられており、その複数箇所には図示しないねじ通し穴が開けられている。
【０１２３】
第１引掛り部８６は、第１鞘管ガイド８４に対する第２鞘管ガイド８５の嵌合部、つまり、ガイド筒部８５ａの端部内周面に、その周方向に連続して一体に設けられており、例えば断面三角形状の突条により形成されている。この第１引掛り部８６に係脱可能な複数の第２引掛り部８７〜８９は、第２鞘管ガイド８５に対する第１鞘管ガイド８４の嵌合部、つまり、ガイド筒部８４ａの外周面に、その周方向に連続して一体に設けられており、例えば断面三角形状の突条により形成されている。各第２引掛り部８７〜８９はガイド筒部８４ａの軸方向に違いに離間して間隔的に設けられている。
【０１２４】
これら第２引掛り部８７〜８９は、外装パネル８２の厚みに対応して設けられており、それが第１引掛り部８６に引掛った時に、それに応じた両鞘管ガイド８４、８５の嵌合深さを得て異なる厚みの外装パネル８２の夫々適合して壁通し具８１が組立てられるようになっている。
【０１２５】
つまり、プレハブ住宅の外装パネル８２には厚みが異なる数種類のものが用意されていて、その中からいずれかが選択して使用されるものであり、最大厚さ（例えば１００ｍｍ）の外装パネル８２への適用においては、図１５のように第１引掛り部８６と第２引掛り部８９とを引掛けることにより壁通し具８１の長さを延ばして適合させ、最小厚さ（例えば７５ｍｍ）の外装パネル８２への適用においては、第１引掛り部８６と第２引掛り部８７とを引掛けることにより壁通し具８１の長さを縮めて適合させ、又、これらの中間厚さの外装パネル８２への適用においては、第１引掛り部８６と第２引掛り部８７とを引掛けることにより壁通し具８１の長さを適合させることができる。すなわち、本実施形態に係る壁通し具８１は厚みの異なる種々の外装パネル８２への設置に容易に適合できる。
【０１２６】
なお、こうした複数段階の壁厚への適合機能は必須ではなく、第１、第２引掛り部は少なくとも一つあればよいとともに、これらの引掛り構造としては第１、第２引掛り部の双方が本実施形態のような突起ではなく、一方が突条で、他方がそれに対応する形状の溝条で形成してもよい。しかし、本実施形態のように断面三角形状の突条とした場合には、それらの斜面によって第１、第２引掛り部の係脱が円滑であるだけではなく、両ガイド筒部８４ａ、８５ａの嵌合における抵抗を引掛り部の係合位置だけに制限できる点で優れている。なお、これらの係脱に際しては両ガイド筒部８４ａ、８５ａが多少の弾性変形を伴う。
【０１２７】
次に、前記構成の壁貫通配管の壁通し具８１を用いた配管４及び鞘管５の配設作業を説明する。まず、外装パネル８２に壁通し具８１を設置する手順を説明する。
【０１２８】
フランジ部８４ｂがない方のガイド筒部８４ａの端部を先頭にして第１鞘管ガイド８４を、外装パネル８２の屋内側から設置穴８３に挿入させる。この挿入はフランジ部８４ｂが外装パネル８２の内壁面において設置穴８３の穴縁に引っ掛るまで行われ、それにより、ガイド筒部８４ａは屋内側から屋外側に行くにしたがって外装パネル８２を斜め下向きにとなる姿勢で設置穴８３内に収容される。この状態で、フランジ部８４ｂの図示しないねじ通し穴に通されて外装パネル８２にねじ込まれるねじ９０を夫々締付けて、第１鞘管ガイド８４を外装パネル８２に固定する。この設置状態において、ガイド筒部８４ａの外周面と設置穴８３の内周面とは接触しておらず、これらの間には図１５に示されるように空隙ｇが設けられる。
【０１２９】
なお、本実施形態の構成に加えて、ガイド筒部８４ａのフランジ部８４ｂ側の根元部外周に設置穴８３と略同径のスペーサ段部を周方向に連続或いは非連続に設けて実施する場合には、この段部によって設置穴８３の径方向に対するガイド筒部８４ａの位置決めができる。そのため、ガイド筒部８４ａを設置穴８３に対する同軸度を簡単に出して外装パネル８２の第１鞘管ガイド８４を固定できる点で優れるとともに、次に述べる第２鞘管ガイド８５との嵌合においても両ガイド筒部８４ａ、８５ａの先端同士が互いに当るような相互干渉を防止できるので、壁通し具８１の設置作業性を容易にできる点でも優れる。
【０１３０】
次に、外装パネル８２の屋外側から第２鞘管ガイド８５を、フランジ部８５ｂがない方のガイド筒部８５ａの端部を先頭にして設置穴８３にその内周面に沿わせながら挿入させる。この挿入はフランジ部８５ｂが外装パネル８２の外壁面において設置穴８３の穴縁に引っ掛るまで行われ、それにより、ガイド筒部８５ａは外装パネル８２を屋外側から屋内側に行くにしたがって斜め上向きにとなる姿勢で設置穴８３内に収容される。
【０１３１】
このとき、ガイド筒部８５ａが、前記ガイド筒部８４ａの外周面と設置穴８３の内周面と間の空隙ｇに挿入されて、ガイド筒部８４ａの外側に嵌合される。同時に、この筒部８５ａに設けられた第１引掛り部８６が外装パネル８２の厚みに適合した位置の第２引掛り部例えば第２引掛り部８９を節度感を伴いながら乗り越えて、これに引掛かる（図１５参照）。これらの引掛り部８６、８９の係合により第２鞘管ガイド８５は第１鞘管ガイド８４に連結されるから、以上の挿入作業を終えて第２鞘管ガイド８５から手を離しても、このガイド８５が斜め下方に脱落することがない。
【０１３２】
そして、このように両鞘管ガイド８４、８５が連結された状態で、第２鞘管ガイド８５のフランジ部８５ｂの図示しないねじ通し穴に通されて外装パネル８２にねじ込まれるねじ９１を夫々締付けて、第２鞘管ガイド８５を外装パネル８２に固定する。この場合、既述のように第２鞘管ガイド８５が脱落しないように第１鞘管ガイド８４に支持されているので、ねじ９１の締め付け作業において第２鞘管ガイド８５の脱落を片手で阻止しつつ作業を行なう面倒がないので、容易にねじ止めすることができる。
【０１３３】
最後に、図１５及び図１６に示されるようにフランジ部８５ｂとその周囲の外装パネル８２の外壁面とにわたってコーキング材９２を設けて止水処理をする。それにより設置穴８３と第２鞘管ガイド８５との間への屋外からの浸水を防止できる。なお、この止水処理に代えて、フランジ部８５ｂと外装パネル８２の外面との間に止水パッキンを接着することもできる。
【０１３４】
以上の手順により、フランジ部８４ｂ、８５ａ間に外装パネル８２を挟んだ状態で外装パネル８２を斜めに貫通して壁通し具８１が設置される。
【０１３５】
この後には、互いに連結された外装パネル８２を斜めに貫通した第１、第２鞘管ガイド８４、８５を備えた壁通し具８１の互いに連続するガイド筒部８４ａ、８５ａに外装パネル８２の例えば内壁面側から鞘管５を通して、この鞘管５を外装パネル８２に対して斜めに貫通させた後、この鞘管５内に外装パネル８２の外面側から配管４を挿入することにより、鞘管５内を通して所定の場所に配管４を導いて配設する。
【０１３６】
この場合、第１鞘管ガイド８４のガイド筒部８４ａが第２鞘管ガイド８５のガイド筒部８５ａの内側に嵌合されているから、屋内側から鞘管５を壁通し具８１を貫通する鞘管５が、ガイド筒部８５ａの先端に引掛る恐れがなく、したがって、鞘管５の挿通作業性がよい。この設置状態において、屋外側の鞘管ガイド８５と鞘管５との間の止水を行なう場合には、これらにわたって図示しないコーキング材を充填することで行なえばよい。
【０１３７】
なお、以上の点以外の接続作業等は前記第１の実施の形態と同じである。又、プレハブ住宅の外装パネル８２に対してはその生産段階で予め壁通し具８１を装着して置くことができるので、このようにして建築現場に供給する場合には、建築現場では壁通し具８１を外装パネル８２に設置する作業を要することがなくなり、したがって、建築現場での鞘管５及び配管４の配設作業を速やかに開始することができる。
【０１３８】
以上説明した壁貫通配管の壁通し具８１を用いた配管４及び鞘管５の配設作業によれば、外装パネル８２を斜めに貫通して設けられた壁通し具８１に鞘管５を通すことで、外装パネル８２の内壁面に沿うように鞘管５を屋内へと配設でき、外装パネル８２の屋内側の狭い壁裏空間内においても鞘管５を無理に折り曲げて座屈変形を起こさせることがない。このため、鞘管５の内部に通して屋外から屋内へと配設する配管４も無理に折り曲げて座屈変形を起こさせることなく、容易に配設できる。さらに、屋外側より配管４を斜め下方に引っ張ることにより、挿入時と同様に鞘管５をガイドとして少ない抵抗で容易に配管４を引き出せるので、こうした配管４の出し入れ操作によって、将来において配管４が老朽化した場合の配管４の更新作業も簡単に行うことができる。
【０１３９】
しかも、前記壁通し具８１の採用により、鞘管５を外装パネル８２の位置において途切れることなく屋外から屋内へと連続して配設できるため、屋内で配管４から水が漏れ出しても鞘管５の内部を伝わって屋外へと排出され、屋内への浸水のおそれが低いとともに、外装パネル８２を貫通した配管４に対する継手部分は外装パネル８２の屋外側にあるので、漏水し易い前記継手部分からの漏水があっても屋内へ浸水するおそれがない。
【０１４０】
又、屋外側の第２鞘管ガイド８５は屋外側に向けて斜めに下がるように傾斜して外装パネル８２をねじ止めされているので、雨水等が斜めの壁通し具８１内のガイド筒部８４ａ、８５ａを通って屋外から屋内へと浸入するおそれが殆どない。
【０１４１】
更に、この壁通し具８１は、第１、第２の鞘管ガイド８４、８５のフランジ部８４ｂ、８５ｂで、外装パネル８２を厚み方向から挟み込むサンドイッチ構造をとっているので、設置穴８３と壁通し具８１のガイド筒部８４ａ、８５ａとの間の埋め戻し作業等の閉栓処理も不要にでき、施工性がよい。その上、前記サンドイッチ構造により、鞘管ガイド８４、８５に新規に配管４を通すときは勿論のこと、老朽化した配管４を新品の配管と交換するときにおいても、配管４や鞘管５を壁通し具８１に通す際等に加わる操作力を、配管４等を押し込んだり、引き出したりする操作方向の上流側において外装パネル８２に引掛かっているフランジ部８４ｂ又は８５ｂに波及させて外装パネル８２で分散して支持できる。よって、壁通し具８１が外装パネル８２から不用意に外れたり、外装パネル８２とこれを挟んだフランジ部８４ｂ又は８５ｂとの接合が緩むことがなく、したがって、防水性が損なわれるおそれを低くできる。
【０１４２】
又、前記構成の壁通し具８１の採用により、大きな円形の穴を外装パネル８２に設ける必要がなく、斜めの設置穴８３を設けることに伴う外装パネル８２の強度の低下を抑制できる。しかも、この第７実施形態に係る壁通し具８１は、その構成部品が二つで済むので、構造が簡単であり、安価に提供できるとともに、その外装パネル８２への固定も通常のねじ止め作業により容易に行なうことができる。なお、この第７実施形態において、フランジ部８４ｂ、８５ｂを外装パネル８２に固定する手段は、ねじ止めに代えて、接着剤や両面接着テープ等の接着手段を用いてもよいものであり、また、第１引掛り部８６と第２の引掛り部８７〜８９との引掛りによる連結強度が大きく、それにより両フランジ部８４ｂ、８５ｂが外装パネル８２の内外壁面に夫々圧接する場合には、前記固定手段は省略してもよい。
【０１４３】
（実施形態８）
次に、図１８を参照して本発明の第７の実施の形態に係る壁貫通配管の壁通し具１０１を説明する。なお、以下説明する壁通し具１０１及び壁の設置穴１０３以外は、図１８に示されない部分を含めて前記第１の実施の形態と同じであるから、鞘管及び配管等の同一部分についての説明は、第１の実施の形態と同じ符号を付してその説明を省略し、異なる部分についてのみ説明する。
【０１４４】
この第８の実施形態に係る壁通し具１０１が設置される住宅の壁、本実施形態の場合にはプレハブ工法により作られる住宅の外装パネル（外壁）１０２の所定位置には斜めに貫通する断面円形の設置穴１０３が開けられている。この穴１０３は屋内側から屋外側に行くにしたがって次第に下がるように傾斜しており、その壁貫通角度θは４５°である。壁通し具１０１は、金属又は硬質合成樹脂により一体成形された単一の部品で形成されていて、鞘管ガイド１０４と、フランジ部１０５とを有している。
【０１４５】
詳しくは、鞘管ガイド１０４は外装パネル１０２の厚みよりも短い円筒からなり、その一端部外周に周方向に連続して円形をなすフランジ部１０５が一体に設けられている。鞘管ガイド１０４の外径は設置穴１０３の穴径に略等しく、そして、フランジ部１０５がない方の鞘管ガイド１０４の端部内周面にはテーパ面１０４ａが設けられている。フランジ部１０５は鞘管ガイド１０４の軸線に対して交差する方向に沿って外側に張り出して設けられており、その複数箇所には図示しないねじ通し穴が開けられている。
【０１４６】
次に、前記構成の壁貫通配管の壁通し具１０１を用いた配管４及び鞘管５の配設作業を説明する。まず、外装パネル１０２に壁通し具１０１を設置する手順を説明する。
【０１４７】
テーパ面１０４ａがある方の鞘管ガイド１０４の端部を先頭にして壁通し具１０１を、外装パネル１０２の屋外側から設置穴１０３に挿入させる。この挿入はフランジ部１０５が外装パネル１０２の外壁面に置いて設置穴１０３の穴縁に引っ掛るまで行われ、それにより、鞘管ガイド１０４が外装パネル１０２を屋外側から屋内側に行くにしたがって斜め上向きにとなる姿勢で設置穴１０３内に収容される。この状態で、フランジ部１０５の図示しないねじ通し穴に通されて外装パネル１０２にねじ込まれるねじ１０６を夫々締付けて、壁通し具１０１を外装パネル１０２に固定する。最後に、フランジ部１０５とその周囲の外装パネル１０２の外壁面とにわたってコーキング材１０７を設けて止水処理をする。それにより設置穴１０３と壁通し具１０１との間への屋外からの浸水を防止できる。なお、この止水処理に代えて、フランジ部１０５と外装パネル１０２の外面との間に止水パッキンを接着することもできる。
【０１４８】
以上の手順により外装パネル１０２を斜めに貫通して壁通し具１０１が設置される。
【０１４９】
この後には、鞘管ガイド１０４に外装パネル１０２の例えば内壁面側から鞘管５を通して、この鞘管５を外装パネル１０２に対して斜めに貫通させた後、この鞘管５内に外装パネル１０２の外面側から配管４を挿入することにより、鞘管５内を通して所定の場所に配管４を導いて配設する。
【０１５０】
この場合、鞘管ガイド１０４の先端部にはテーパ面１０４ａが設けられているから、屋内側から鞘管５を壁通し具１０１を貫通する鞘管５が、鞘管ガイド１０４の先端に引掛る恐れが少なく、したがって、鞘管５の挿通作業性がよい。この設置状態において、屋外側で壁通し具１０１と鞘管５との間の止水を行なう場合には、これらにわたって図示しないコーキング材を充填することで行なえばよい。
【０１５１】
なお、以上の点以外の接続作業等は前記第１の実施の形態と同じである。又、プレハブ住宅の外装パネル１０２に対してはその生産段階で予め壁通し具１０１を装着して置くことができるので、このようにして建築現場に供給する場合には、建築現場では壁通し具１０１を外装パネル１０２に設置する作業を要することがなくなり、したがって、建築現場での鞘管５及び配管４の配設作業を速やかに開始させることができる。
【０１５２】
以上説明した壁貫通配管の壁通し具１０１を用いた配管４及び鞘管５の配設作業によれば、外装パネル１０２を斜めに貫通して設けられた壁通し具１０１に鞘管５を通すことで、外装パネル１０２の内壁面に沿うように鞘管５を屋内へと配設でき、外装パネル１０２の屋内側の狭い壁裏空間内においても鞘管５を無理に折り曲げて座屈変形を起こさせることがない。このため、鞘管５の内部に通して屋外から屋内へと配設する配管４も無理に折り曲げて座屈変形を起こさせることなく、容易に配設できる。さらに、屋外側より配管４を斜め下方に引っ張ることにより、挿入時と同様に鞘管５をガイドとして少ない抵抗で容易に配管４を引き出せるので、こうした配管４の出し入れ操作によって、将来において配管４が老朽化した場合の配管４の更新作業も簡単に行うことができる。
【０１５３】
しかも、前記壁通し具１０１の採用により、鞘管５を外装パネル１０２の位置において途切れることなく屋外から屋内へと連続して配設できるため、屋内で配管４から水が漏れ出しても鞘管５の内部を伝わって屋外へと排出され、屋内への浸水のおそれが低いとともに、外装パネル１０２を貫通した配管４に対する継手部分は外装パネル１０２の屋外側にあるので、漏水し易い前記継手部分からの漏水があっても屋内へ浸水するおそれがない。
【０１５４】
又、この壁通し具１０１は屋外側に向けて斜めに下がるように傾斜して外装パネル１０２にねじ止めされているので、雨水等が斜めの壁通し具１０１の鞘管ガイド１０４を通って屋外から屋内へと浸入するおそれが殆どない。更に、この壁通し具１０１は、フランジ部１０５で設置穴１０３の屋外側の開口を覆い隠しているので、設置穴１０３と鞘管ガイド１０４との間の埋め戻し作業等の閉栓処理も不要にでき、施工性がよい。
【０１５５】
又、前記構成の壁通し具１０１の採用により、大きな円形の穴を外装パネル１０２に設ける必要がなく、斜めの設置穴１０３を設けることに伴う外装パネル１０２の強度の低下を抑制できる。しかも、この第８実施形態に係る壁通し具１０１は、その構成部品が一つで済むので、構造が極めて簡単であり、より安価に提供できるとともに、その外装パネル１０２への固定も通常のねじ止め作業により容易に行なうことができる。なお、この第８実施形態において、フランジ部１０５を外装パネル１０２に固定する手段は、ねじ止めに代えて、接着剤や両面接着テープ等の接着手段を用いることができる。
【０１５６】
（実施形態９）
次に、図１９から図２１を参照して本発明の第９の実施の形態に係る壁貫通配管の壁通し具１を説明する。なお、前述した第１から第４の実施の形態に係る壁貫通配管の壁通し具１と同一構成部分には、同一符号を付して説明を省略する。
【０１５７】
本実施の形態の壁通し具１が取付けられる設置穴３は、外壁２に対し直交する方向に沿って、この外壁２を貫通している。設置穴３は丸形に形成されている。また、本実施形態の壁通し具１は、屋外Ｏから屋内Ｉに向うにしたがって上方から下方に向って給湯器などから供給される湯を導くために用いられる。
【０１５８】
図１９から図２１に示すように、本実施形態の壁貫通配管の壁通し具１は、第１壁通し部材６だけで構成されている。本実施形態の第１壁通し部材６は、その第１筒部８が円筒状に形成されている。第１筒部８はその軸線Ｐが、壁通し具１が設置穴３に取付けられた際に、外壁２に対し直交する方向に沿う。
【０１５９】
壁通し具１が設置穴３に取付けられた際に、第１筒部８の鉛直方向に沿った幅Ｄは、鞘管５の外径ｄの約２から３倍以上の寸法に形成されている。第１筒部８の鉛直方向に沿った幅Ｄは、鞘管５の外径ｄより十分大きく形成されている。また、第１壁通し部材６は、壁通し具１が設置穴３に取付けられた際に、第１筒部８の屋外Ｏ側に露出する一端部８ａに閉塞部１２を設けている。
【０１６０】
鞘管ガイド１３は、前記閉塞部１２から屋外Ｏ側でかつ斜め上方に向って突出して形成されている。鞘管ガイド１３は、前記軸線Ｐより上方に位置する閉塞部１２の端部から突出している。第１筒部８の内側において鞘管ガイド１３と閉塞部１２との接合部には、滑らかに湾曲した湾曲面１１０が形成されている。鞘管ガイド１３は閉塞部１２の内面１２ａより第１筒部８の内側には突出していない。
【０１６１】
第１筒部８の外周面には、全周に亘って止水パッキン１４が設けられている。この止水パッキン１４は、第１筒部８と設置穴３の内面との間の隙間Ｇを埋めて、この隙間Ｇを通る雨水などの屋内Ｉへの浸入を防止する。止水パッキン１４の代わりに周知のコーキング材を用いて前記隙間Ｇを埋めるようにしても良い。
【０１６２】
鞘管ガイド１３の屋内Ｉ側に位置する他端部８ｂには、フランジ取付け部１１１が形成されている。このフランジ取付け部１１１には、設置穴３の穴縁に引掛るフランジ部材１１２が取付けられるようになっている。
【０１６３】
フランジ取付け部１１１は、第１筒部８の外周面に形成されかつこの外周面から凹に形成された凹溝１１３を複数備えている。図示例において、フランジ取付け部１１１は、凹溝１１３を二つ備えている。それぞれの凹溝１１３は、前記他端部８ｂのうち少なくとも前記軸線Ｐより鞘管ガイド１３が設けられた側の外周面に、第１筒部８の周方向に沿って形成されている。それぞれの凹溝１１３は、壁通し具１が設置穴３に取付けられた際に、外壁２に沿うように形成されている。
【０１６４】
それぞれの凹溝１１３は、前記閉塞部１２の表面１２ｂからの距離が壁通し具１が取付けられる外壁２の厚みに応じた位置に形成されるのが望ましい。凹溝１１３は、前記閉塞部１２の表面１２ｂからの距離が互いに異なる位置に形成されている。また、それぞれの凹溝１１３は、前記他端部８ｂのうち軸線Ｐより鞘管ガイド１３が配置されていない側の外周面には形成されていない。
【０１６５】
フランジ部材１１２は、馬蹄形に形成されているとともに、凹溝１１３に係合するようになっている。フランジ部材１１２は、壁通し具１が設置穴３内に嵌め込まれた際に、上方から凹溝１１３に係合する。フランジ部材１１２は、凹溝１１３に係合すると、その端面が設置穴３の穴縁に引っ掛る。
【０１６６】
フランジ部材１１２には、複数の貫通穴１１４が形成されている。これらの貫通穴１１４には、それぞれ、フランジ部材１１２を外壁２に固定するねじ１１５が通るようになっている。
【０１６７】
第１筒部８は、その他端部８ｂの縁部８ｃが上方から下方に向うにしたがって即ち鞘管ガイド１３から離れるのにしたがって、徐々に外壁２の外面側に近づく方向に傾斜するように形成されている。この他端部８ｂにおいて、前記軸線Ｐより鞘管ガイド１３が設けられた側の縁部８ｃは、外壁２から屋内Ｉ側に突出しているとともに、軸線Ｐより鞘管ガイド１３が配置されていない側の縁部８ｃは、設置穴３の穴縁より設置穴３内に位置するように形成されている。
【０１６８】
前記壁通し具１の具体的な寸法例を示す。前記設置穴３は外壁２の機械的な強度を極力低下させないため、その直径を極力小さく形成するのが望ましい。呼び径が直径１３ｍｍの配管４を呼び径が直径２８ｍｍの鞘管５に通して、厚さ７５ｍｍから１００ｍｍの外壁２を貫通させる場合、外壁２を通る配管４及び鞘管５の前記軸線Ｐに対する挿入角度θ´が２３°となるように鞘管ガイド１３を閉塞部１２に対して設ける。又、このとき、設置穴３の口径は、直径１００ｍｍに形成されるのが望ましい。
【０１６９】
次に、この第９の実施の形態の壁通し具１の外壁２の設置穴３への取付け作業を説明する。
【０１７０】
まず、第１壁通し部材６を、閉塞部１２が屋外Ｏに露出するように、屋外Ｏ側から設置穴３内に嵌め込む。外壁２の厚みに応じた凹溝１１３にフランジ部材１１２を上方から係合させる。ねじ１１５を貫通穴１１４内に通して外壁２にねじ込んで、フランジ部材１１２とともに第１壁通し部材６を外壁２に固定する。このとき、第１筒部８と設置穴３との間の隙間Ｇは、止水パッキン１４によって全周に亘って隙間なく埋められる。以上で外壁２の設置穴３への第９の実施の形態の壁貫通配管の壁通し具１の取付けが終了する。
【０１７１】
壁通し具１を外壁２に固定した後、屋内Ｉ側から鞘管５及び配管４を順次、鞘管ガイド１３内に挿入する。鞘管ガイド１３の先端部１３ａから突出した配管４の端部に、継手３２を介して、２階などの上方に設置された給湯器に連結した配管１１６を連結する。この連結を行なう際に、図示例では以下に示す継手部１１７を用いる。
【０１７２】
継手部１１７は、前記継手３２と、鞘管ガイド１３の先端部１３ａの外周に形成されたねじ溝１１８と、このねじ溝１１８に螺合する継手固定部材１１９などを備えている。前記継手３２は、金属からなりかつ鞘管ガイド１３の開口縁１３ｂと当接する鍔部１２０を一体に備えている。鍔部１２０は、継手３２の全周に亘って設けられている。
【０１７３】
継手固定部材１１９は、合成樹脂などからなりかつその内周に継手３２が通ることが可能な円環状に形成されている。継手固定部材１１９は、円筒状に形成されかつ鞘管ガイド１３のねじ溝１１８に螺合するねじ部１２１と、このねじ部１２１の一端から内周側に向って延びた円環状の円環部１２２と、を一体に備えている。この円環部１２２は、ねじ部１２１がねじ溝１１８に螺合すると継手３２の鍔部１２０を鞘管ガイド１３の開口縁１３ｂに向かって押圧する。
【０１７４】
このように、継手部１１７は、継手固定部材１１９が鞘管ガイド１３のねじ溝１１８に螺合して、継手３２の鍔部１２０を鞘管ガイド１３の開口縁１３ｂに向かって押圧することによって、鞘管ガイド１３の開口部を雨水が入らないように閉じている。
【０１７５】
本実施形態によれば、設置穴３内に嵌め込まれた際に第１筒部８の鉛直方向に沿った幅Ｄが、鞘管５の外径ｄより十分大きく形成されているので、鞘管５が無理に折り曲げられて座屈変形を起さない十分に広い空間Ｓを第１筒部８内に確保できる。さらに、第１筒部８の屋内Ｉ側に位置する他端部８ｂのうち軸線Ｐより鞘管ガイド１３が配置されていない側の縁部８ｃが設置穴３の穴縁より設置穴３内に位置している。
【０１７６】
このため、外壁２の裏側空間が狭い場合でも、鞘管５が無理に曲げることなく外壁２を貫通させてこの外壁２に沿って配設されることとなる。また、鞘管５が無理に曲げられることがないため、この鞘管５内に容易に配管４を通すことができる。
【０１７７】
また、この壁貫通配管の壁通し具１が取り付けられる設置穴３が、外壁２に対して直交する方向に沿って貫通しているので、雨水などが第１筒部８の外表面などを伝わって屋内に侵入することを防止できる。本実施形態において、前記設置穴３は、屋外Ｏから屋内Ｉに向かうにしたがって、徐々に上方に向かうように外壁２を貫通するように形成されても良い。この場合、雨水の浸入をより一層防止できる。なお、このとき、第１筒部８は、その軸線Ｐが屋外Ｏから屋内Ｉに向かうにしたがって徐々に下方に向かうように傾いて、形成されるのが望ましい。
【０１７８】
さらに、配管４と、給湯器などに連結した配管１１６とを互いに連結する継手３２が、屋外Ｏに位置することとなる。また、鞘管５は、鞘管ガイド１３の中ほどまで挿入されている。このため、たとえ、この継手３２に水漏れが生じても屋内Ｉへの浸水を防止できる。
【０１７９】
また、フランジ部材１１２が外壁２にねじ１１５などによって固定されている。このため、鞘管ガイド１３に新規に鞘管５及び配管４を通すときは勿論のこと、老朽化した配管４などを新品と交換するときにおいても、配管４や鞘管５を鞘管ガイド１３内に通す際等に加わる操作力を、フランジ部材１１２に波及させて外壁２で分散して支持できる。
【０１８０】
このため、壁通し具１が外壁２などから不用意に外れることを防止できる。したがって、配管４の出し入れに拘わらず外壁２への鞘管５の設置状況を確実に保持することができる。
【０１８１】
さらに、フランジ取付け部１１１が、閉塞部１２の表面１２ｂからの距離が互いに異なる凹溝１１３を複数備えている。このため、外壁２の厚みに応じて、フランジ部材１１２を係合させる凹溝１１３を任意に選択することによって、互いに異なる厚みの外壁２に形成された設置穴３へも、容易に取付けることができる。
【０１８２】
なお、この例では、鞘管ガイド１３の内面中ほどに突設したストッパ１３ｄまで鞘管５を挿入するようになっているが、鞘管５は鞘管ガイド１３の外まで引出されても良い。この場合、配管４も鞘管ガイド１３の外に引出される。このようにすれば、配管４と配管１１６との接続部から水漏れが生じたときの屋内Ｉへの浸水をより高度に防止できる。
【０１８３】
（実施形態１０）
次に、図２２を参照して本発明の第１０の実施の形態に係る壁貫通配管の壁通し具１を説明する。なお、前述した第９の実施の形態に係る壁貫通配管の壁通し具１と同一構成部分には、同一符号を付して説明を省略する。
【０１８４】
本実施形態の壁通し具１の第１筒部８の一端部８ａに、第２のフランジ部材１３０が着脱自在となっている。本実施形態の壁通し具１の第１筒部８の一端部８ａの外周には、全周に亘ってねじ溝１３１が形成されている。第２のフランジ部材１３０は、円環状に形成されており、その内周面に前記ねじ溝１３１に螺合するねじ溝１３２が全周に亘って形成されている。
【０１８５】
本実施形態の壁通し具１を設置穴３に取付ける際には、予め、第２のフランジ部材１３０を第１筒部８に取付けておく。この第２のフランジ部材１３０が取付けられた第１筒部８を設置穴３内に嵌め込む。そして、前述した第９の実施の形態の壁通し具１と同様の方法で、外壁２に固定するとともに、配管４と、給湯器などと連結した配管１１６と、を互いに連結する。
【０１８６】
本実施形態によれば、前述した第９の実施の形態の壁通し具１の効果にくわえ、外壁２をフランジ部材１１２と第２のフランジ部材１３０とによって挟み込んだ状態で取付けられている。このため、配管４や鞘管５を鞘管ガイド１３内に通す際等に加わる操作力を、フランジ部材１１２及び第２のフランジ部材１３０に波及させて外壁２でより分散して支持できる。
【０１８７】
このため、壁通し具１が外壁２などから不用意に外れることをより確実に防止できる。したがって、配管４の出し入れに拘わらず外壁２への鞘管５の設置状況をより確実に保持できる。
【０１８８】
さらに、第２のフランジ部材１３０の第１筒部８へのねじ込み量を調整することによって、互いに異なる厚みの外壁２に形成された設置穴３へも、より容易に取付けることができる。したがって、互いに異なる厚みの外壁２への設置性がより向上する。
【０１８９】
なお、本発明は前記第１〜第１０の実施の形態には制約されない。例えば、第１〜第１０の実施形態において壁貫通配管の壁通し具を住宅の外壁へ取付けるにあたって、ねじによって前記外壁に直接穴を開けられるのを嫌う場合には、防水効果の高い接着剤等を用いて前記外壁に設けられた設置穴に直接取付けても構わない。
【０１９０】
又、配管及び鞘管の配設も、前述のように住宅の外壁を貫通させて屋外から屋内へと引き込むばかりではなく、その逆に屋内から屋外へと引き出しても差し支えない。
【０１９１】
又、本発明の壁貫通配管の壁通し具を用いて住宅の外壁を貫通させて屋外と屋内とにわたって配設するものは、給湯器等から延ばされる送液管に限らず、例えば、電話線などの通信系ケーブル、電線などの電力系ケーブル等であってもよい。この場合、鞘管を作る材料もこの内部に通して配設する管や線に合わせて、防電磁波能力に優れたもの等、様々な材料を使い分けることが望ましい。
【０１９２】
又、以上説明したいずれかの実施形態に記載の壁貫通配管の壁貫通構造は、住宅の壁を貫通する設置孔内に少なくとも一部が位置される筒状の鞘管ガイドを、前記壁に対して斜めとなる姿勢に配置し、前記鞘管ガイドにその傾き方向に鞘管を通してこの鞘管を前記壁に対して斜めに貫通させるとともに、前記鞘管内に配管を通したことを特徴としている。
【０１９３】
この壁貫通構造を構成するには、まず、筒状の鞘管ガイドを住宅の壁に対して斜めとなる姿勢に配置する。この配置において鞘管ガイドの少なくとも一部は前記壁を貫通する設置穴内に位置される。次に、前記壁に対して斜めに配置された鞘管ガイドに前記壁の一面側から鞘管を貫通させる。それにより、鞘管は鞘管ガイドの傾斜に沿って設置穴を通り抜けて前記壁を斜めに貫通して設けられる。最後に、鞘管の内側に配管を挿入することにより、壁貫通配管としての鞘管及び配管を夫々前記壁に対して斜めに貫通させた壁貫通構造が形成され、配管は鞘管内を通して所定の場所まで配設される。
【０１９４】
この壁貫通構造によれば、鞘管ガイドの傾きを利用してこれとともに設置穴を貫通する鞘管を、無理に曲げることなく壁に斜めに貫通させて、壁に沿って配設できる。したがって、例えば、外壁裏の狭い壁裏空間の内部にも無理なく配設できると共に、この鞘管の内部に通して案内させる配管も無理に曲げることなく配設できる。
【０１９５】
すなわち、壁貫通配管の壁貫通構造によれば、壁に対して斜めに設けられる筒状の鞘管ガイドに鞘管を通して、壁に対して鞘管を斜めに貫通させ、この鞘管に配管を通したことにより、鞘管を無理に曲げることなく壁に沿わせて配設できるので、例えば狭い壁裏空間の内部に鞘管等を配設するのに有利であるとともに、この鞘管内に通される配管も無理に曲げることなく配設できる。
【０１９６】
そして、このように配管を配設できるので、この配管が送液管であって、そこから液漏れを生じた場合に、配管より漏れた液体を、壁を斜めに貫通した鞘管を通して屋外等に導出できる。
【０１９７】
又、以上説明したいずれかの実施形態に記載の壁貫通配管の壁通し具は、住宅の壁を貫通する設置穴に嵌め込む第１筒部と、この第１筒部の内側を閉じる閉塞部と、この閉塞部から斜めに突出して、前記壁を貫通する鞘管が通される筒状の鞘管ガイドとを有することを特徴としている。
【０１９８】
この壁通し具においては、まず、壁を貫通する設置穴に、この壁の一面側もしくは他面側から前記壁貫通配管の壁通し具を嵌め込み設置する。次に、前記他面側もしくは一面側から鞘管を鞘管ガイドに通すことにより壁を斜めに貫通させて配設する。最後に、配設し終わった鞘管の内部に配管を通すことにより、この配管を斜めにして壁に貫通させて、鞘管内を通して所定の場所まで配設する。
【０１９９】
この壁貫通配管の壁通し具には、その閉塞部に斜めの筒状の鞘管ガイドが設けられている。この鞘管ガイドに鞘管を通すことにより、鞘管を無理に曲げることなく壁に斜めに貫通させて、壁に沿って配設できる。したがって、例えば、外壁裏の狭い壁裏空間の内部にも無理なく配設できると共に、この鞘管の内部に通して案内させる配管も無理に曲げることなく屋内等へと配設できる。
【０２００】
すなわち、この壁貫通配管の壁通し具によれば、その第１筒部の閉塞部に設けられた斜めの鞘管ガイドに鞘管を通して、壁に対して鞘管を斜めに貫通させることができ、それにより内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。
【０２０１】
又、以上説明したいずれかの実施形態に記載の壁貫通配管の壁通し具は、住宅の壁を貫通する設置穴に嵌め込む第１筒部、この第１筒部と一体に形成されて外側へ張り出す第１フランジ部、前記第１筒部の内側を閉じる閉塞部、この閉塞部から斜めに突出して、前記壁を貫通する鞘管が通される筒状の鞘管ガイドを有した第１壁通し部材と、この第１壁通し部材とは反対側から前記設置穴に嵌め込まれる第２筒部にその外側に張り出す第２フランジ部を設けた第２壁通し部材と、前記両フランジ部で前記壁を挟んで前記第１、第２壁通し部材を連結する連結手段と、を具備したことを特徴としている。
【０２０２】
この壁通し具においては、まず、第１、第２の壁通し部材の内の一方を壁の一面側から設置穴に嵌め込んだ後、他方を壁の他面側から設置穴に嵌め込む。この後、第１筒部と第２筒部とを連結手段により連結することで、第１フランジ部及び第２フランジ部で壁をその厚み方向両側から挟み込んで、この発明の壁通し具を設置穴に設置する。次に、前記他面側もしくは一面側から鞘管を鞘管ガイドに通すことにより壁を斜めに貫通させて配設する。最後に、配設し終わった鞘管の内部に配管を通すことにより、この配管を斜めにして壁に貫通させて、鞘管内を通して所定の場所まで配設する。
【０２０３】
この壁貫通配管の壁通し具には、その閉塞部に斜めの筒状の鞘管ガイドが設けられている。この鞘管ガイドに鞘管を通すことにより、鞘管を無理に曲げることなく壁に斜めに貫通させて、壁に沿って配設できる。したがって、例えば、外壁裏の狭い壁裏空間の内部にも無理なく鞘管を配設できると共に、鞘管の内部に通して案内させる配管も無理に曲げることなく屋内等へと配設できる。
【０２０４】
さらに、この壁通し具は壁をその厚み方向両側から挟む第１、第２のフランジ部を有しているため、鞘管ガイドに新規に配管を通すときは勿論のこと、老朽化した配管を新品と交換するときにおいても、配管や鞘管を鞘管ガイドに通す際等に加わる操作力を、配管等を押し込んだり、引き出したりする操作方向の上流側において壁に引掛かっているフランジ部に波及させて壁で分散して支持できるから、配管等の挿通方向下流側に位置された壁通し部材を壁に固定する固定部分に前記操作力が集中し難い。よって、壁通し具が壁から不用意に外れることがないとともに、壁と前記第１、第２両フランジ部との接合が緩むことがなく、したがって、外壁への応用においては防水性が損なわれる等のおそれを低くできる。
【０２０５】
すなわち、この壁貫通配管の壁通し具によれば、第１壁通し部材に設けられた斜めの鞘管ガイドに鞘管を通して、壁を斜めに貫通させることができ、それにより内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。さらに、壁を挟む第１フランジ部と第２フランジ部とを有していて、これらで鞘管の挿通時や配管の出し入れ時等に加わる操作力を壁で支持させるため、壁から不用意に外れることがないとともに、壁と前記第１、第２両フランジ部との間が緩むおそれを低くできる。
【０２０６】
又、以上説明したいずれかの実施形態に記載の壁貫通配管の壁通し具は、前記連結手段によって前記第１、第２フランジ部間の距離を調節できるようにしたことを特徴としている。
【０２０７】
この壁通し具においては、既述の作用効果に加えて、第１筒部と第２筒部とを連結する連結手段の調節により、第１、第２フランジ部間の距離を壁の厚みに適合させることができる。したがって、連結手段の調節の利く範囲内の壁の厚みに適用でき、第１、及び第２筒部の長さの違う何種類もの壁貫通配管の壁通し具を用意する必要がなくなる。
【０２０８】
すなわち、この壁貫通配管の壁通し具によれば、請求項３に記載の発明に係る壁貫通配管の壁通し具による効果に加えて、壁を挟む第１、第２フランジ部間の距離を変化させて壁への取付けができるので、第１、第２筒部の長さが異なる何種類もの壁貫通配管の壁通し具を用意する必要がなく、壁の厚みのばらつき等を吸収して用いることができる。
【０２０９】
又、以上説明したいずれかの実施形態に記載の壁貫通配管の壁通し具は、前記設置穴が前記住宅の壁に対して直交する方向に沿って貫通し、前記設置穴に嵌め込まれた際に鉛直方向に沿う前記第１筒部の幅が前記鞘管の外径より十分大きく形成され、前記鞘管ガイドが前記閉塞部から斜め上方に向かって突出して形成されている。
【０２１０】
この壁通し具は、住宅の設置穴内に嵌め込まれた際に第１筒部の鉛直方向に沿った幅が、鞘管の外径より十分大きく形成されているので、鞘管が無理に折り曲げられて座屈変形を起さない十分に広い空間を第１筒部内に確保することができる。
【０２１１】
したがって、鞘管を無理に曲げることなく壁を貫通させて壁に沿わせて配設することができる。また、鞘管が無理に曲げられることがないため、この鞘管内に容易に配管を通すことができる。
【０２１２】
また、この壁貫通配管の壁通し具が取り付けられる設置穴が、住宅の壁に対して直交する方向に沿って貫通しているので、屋外から屋内に向うにしたがって上方から下方に向かって傾けて鞘管及び配管を配置する場合でも、雨水などが前記第１筒部の外表面などを伝わって屋内に侵入することを防止できる。
【０２１３】
さらに、この壁貫通配管の壁通し具を壁に設置するには、まず、設置穴に対し屋外側から第１筒部を嵌め込む。この際、第１筒部を閉塞部及び鞘管ガイドが屋外に露出するように嵌め込む。そして、屋内側より第１筒部及び鞘管ガイド内に向って鞘管及び配管を挿入する。鞘管ガイドから屋外に露出した鞘管及び配管の先端部に周知の継手などを介して給湯器を接続する。このように、給湯器と、鞘管及び配管と、を互いに接続する継手が屋外に位置することとなる。このため、たとえ、この継手に水漏れが生じても屋内への浸水を防止することができる。
【０２１４】
すなわち、この壁貫通配管の壁通し具によれば、住宅の鉛直方向に沿う前記第１筒部の幅が前記鞘管の外径より十分大きく形成されており、鞘管が無理に折り曲げられて座屈変形を起さない十分に広い空間を第１筒部内に確保できるので、鞘管を無理に曲げることなく壁を貫通させて壁に沿わせて配設することができる。また、鞘管が無理に曲げられることがないため、この鞘管内に容易に配管を通すことができる。
【０２１５】
また、設置穴が、住宅の壁に対して直交する方向に沿って貫通しているので、屋外から屋内に向うにしたがって上方から下方に向かって傾けて鞘管及び配管が配置された場合でも、雨水などの屋内への侵入を防止できる。
【０２１６】
さらに、鞘管ガイドから屋外に露出した鞘管及び配管の先端部に周知の継手などを介して給湯器を接続することができるので、たとえ、この継手に水漏れが生じても屋内への浸水を防止できる。
【０２１７】
又、以上説明したいずれかの実施形態に記載の壁貫通配管の壁通し具は、前記閉塞部が前記住宅の屋外に露出する前記第１筒部の一端部に設けられ、前記第１筒部の他端部のうち少なくとも前記鞘管ガイドが配置された側の外周に取付けられかつ前記設置穴の穴縁に引掛るフランジ部材を備え、前記第１の筒部の他端部のうち前記鞘管ガイドが配置されていない側の縁部が前記穴縁より設置穴内に位置している。
【０２１８】
この壁通し具は、住宅の設置穴内に嵌め込まれた際に第１筒部の鉛直方向に沿った幅が、鞘管の外径より十分大きく形成されている。このため、鞘管が無理に折り曲げられて座屈変形を起さない十分に広い空間を第１筒部内に確保することができる。さらに、前記第１筒部の屋内側に位置する他端部のうち鞘管ガイドが配されていない側の縁部が穴縁より設置穴内に位置している。
【０２１９】
したがって、鞘管を無理に曲げることなく壁を貫通させて壁に沿わせて配設することができる。また、鞘管が無理に曲げられることがないため、この鞘管内に容易に配管を通すことができる。
【０２２０】
また、この壁貫通配管の壁通し具は、雨水などの侵入を防止できるとともに、鞘管及び配管と給湯器とを接続する継手などに水漏れが生じても屋内への浸水を防止できる。
【０２２１】
この壁通し具を壁に取付ける際には、閉塞部及び鞘管ガイドが屋外に露出するように、設置穴に対し屋外側から第１筒部を嵌め込んだ後、第１筒部の他端部にフランジ部材を取付ける。フランジ部材は設置穴の穴縁に引掛った状態となる。このフランジ部材を壁にねじ止め等により固定するのが望ましい。このように、壁通し具は住宅の壁に取付けられる。
【０２２２】
この壁通し具は、鞘管ガイドに新規に鞘管及び配管を通すときは勿論のこと、老朽化した配管などを新品と交換するときにおいても、配管や鞘管を鞘管ガイドに通す際等に加わる操作力を、フランジに波及させて壁で分散して支持できる。
【０２２３】
このため、壁通し具が壁などから不用意に外れることが防止される。したがって、配管の出し入れに拘わらず壁への鞘管の設置状況を確実に保持することができる。
【０２２４】
すなわち、この壁貫通配管の壁通し具によれば、加えて、前記第１筒部の屋内側に位置する他端部のうち鞘管ガイドが配されていない側の縁部が設置穴の穴縁より設置穴内に位置しているので、鞘管を無理に曲げることなく壁を貫通させて壁に沿わせて配設することがより容易にできる。また、鞘管が無理に曲げられることがないため、この鞘管内に容易に配管を通すことができる。
【０２２５】
フランジ部材が設置穴の穴縁に引掛かりかつこのフランジ部材を壁にねじ止め等することによって、壁に取付けることができる。このため、鞘管及び配管を鞘管ガイドに通す際等に加わる操作力を、フランジ部材に波及させて壁で分散して支持できる。このため、壁通し具が壁などから不用意に外れることが防止される。したがって、配管の出し入れに拘わらず壁への鞘管の設置状況を確実に保持することができる。
【図面の簡単な説明】
【０２２６】
【図１】本発明の第１の実施の形態に係る壁貫通配管の壁通し具を外壁に取付けて配設した状態を示す断面図。
【図２】（ａ）は本発明の第１の実施の形態に係る壁通し具を分解して示す斜視図。  （ｂ）は本発明の第１の実施の形態に係る壁通し具を組み立てた状態を示す斜視図。
【図３】図１に示した状態の壁貫通配管のＡ部を拡大した断面図。
【図４】（ａ）は鞘管が通された第１の実施の形態の壁通し具を示す正面図。  （ｂ）は鞘管が通された第１の実施の形態の壁通し具を示す裏面図。
【図５】本発明の第２の実施の形態に係る壁貫通配管の壁通し具を分解して示す斜視図。
【図６】第２の実施の形態の壁通し具の使用状態を示す前記図３相当の断面図。
【図７】（ａ）は鞘管が通された第２の実施の形態の壁通し具を示す正面図。  （ｂ）は鞘管が通された第２の実施の形態の壁通し具を示す裏面図。
【図８】（ａ）は鞘管が通された本発明の第３の実施の形態に係る壁貫通配管用の壁通し具を示す正面図。  （ｂ）は鞘管が通された第３の実施の形態の壁通し具を示す裏面図。
【図９】本発明の第４の実施の形態に係る壁貫通配管用の壁通し具の使用状態を示す前記図３相当の断面図。
【図１０】（ａ）は鞘管が通された第４の実施の形態の壁通し具を示す正面図。  （ｂ）は鞘管が通された第４の実施の形態の壁通し具を示す裏面図。
【図１１】本発明の第５の実施の形態に係る壁貫通配管用の壁通し具の使用状態を示す前記図３相当の断面図。
【図１２】本発明の第６の実施の形態に係る壁貫通配管用の壁通し具の使用状態を示す前記図３相当の断面図。
【図１３】第６の実施の形態に係る壁通し具を図１２中矢印Ｚ方向から見て示す図。
【図１４】第６の実施の形態に係る壁通し具を図１２中矢印Ｙ方向から見て示す図。
【図１５】本発明の第７の実施の形態に係る壁貫通配管用の壁通し具の使用状態を示す前記図３相当の断面図。
【図１６】第７の実施の形態に係る壁通し具を図１５中矢印Ｘ方向から見て示す図。
【図１７】第７の実施の形態に係る壁通し具を図１５中矢印Ｗ方向から見て示す図。
【図１８】（ａ）は本発明の第８の実施の形態に係る壁貫通配管用の壁通し具の使用状態を示す前記図３相当の断面図。  （ｂ）は第８の実施の形態に係る壁通し具を図１８（ａ）中矢印Ｖ方向から見て示す図。
【図１９】本発明の第９の実施の形態に係る壁貫通配管用の壁通し具の使用状態を示す断面図。
【図２０】第９の実施の形態の壁通し具を示す正面図。
【図２１】第９の実施の形態の壁通し具を示す側面図。
【図２２】本発明の第１０の実施の形態に係る壁貫通配管用の壁通し具の使用状態を示す断面図。
【符号の説明】
【０２２７】
５１、７１、８１、１０１…壁貫通配管の壁通し具、
５３、７３、８３、１０３…設置穴、
４…配管、
５…鞘管、
５４…鞘管ガイド、
５２、７２、８２、１０２…外装パネル（外壁）、
５５…壁押さえ、
５５ａ…壁押さえ面、
５６…締付けナット（固定手段）、
５６a…鞘管通孔、
６１…フランジ部、
６２…ねじ部、
７４…鞘管ガイド、
７４ａ…ガイド筒部、
７４ｂ…フランジ部、
７５…壁押さえ、
７５ａ…フランジ部、
７８、７９…ねじ（固定手段）、
８４…第１鞘管ガイド、
８４ａ…ガイド筒部、
８４ｂ…フランジ部、
８５…第２鞘管ガイド、
８５ａ…ガイド筒部、
８５ｂ…フランジ部、
９０、９１…ねじ（固定手段）、
１０４…ガイド筒部、
１０５…フランジ部、
１０６…ねじ（固定手段）
【図１】
2006038232.tif 000003
【図２】
2006038232.tif 000004
【図３】
2006038232.tif 000005
【図４】
2006038232.tif 000006
【図５】
2006038232.tif 000007
【図６】
2006038232.tif 000008
【図７】
2006038232.tif 000009
【図８】
2006038232.tif 000010
【図９】
2006038232.tif 000011
【図１０】
2006038232.tif 000012
【図１１】
2006038232.tif 000013
【図１２】
2006038232.tif 000014
【図１３】
2006038232.tif 000015
【図１４】
2006038232.tif 000016
【図１５】
2006038232.tif 000017
【図１６】
2006038232.tif 000018
【図１７】
2006038232.tif 000019
【図１８】
2006038232.tif 000020
【図１９】
2006038232.tif 000021
【図２０】
2006038232.tif 000022
【図２１】
2006038232.tif 000023
【図２２】
2006038232.tif 000024